(57)【要約】  本開示は、移動通信システムにおけるユーザ機器に関する。本ＵＥは、動作時に、第１の基地局がデータパケットをユーザ機器に転送するために介する少なくとも１つの無線リンクを決定する処理回路、を備えている。本ユーザ機器は、第１の無線リンクを介しての第１の基地局と、第２の無線リンクを介しての第２の基地局の両方に、接続可能である。本ＵＥは、動作時に無線リンク選択メッセージを第１の基地局に送信する送信機、をさらに備えている。無線リンク選択メッセージは、どの少なくとも１つの無線リンクを介してデータパケットをユーザ機器に転送するかを第１の基地局に指示するための、決定された少なくとも１つの無線リンクに関する情報、を含む。【選択図】図１２
2020504510.tif 000002
【特許請求の範囲】
【請求項１】
移動通信システムにおけるユーザ機器であって、前記ユーザ機器が、
動作時に、第１の基地局がデータパケットを前記ユーザ機器に転送するために介する少なくとも１つの無線リンクを決定する処理回路であって、前記ユーザ機器が、第１の無線リンクを介しての前記第１の基地局と、第２の無線リンクを介しての第２の基地局の両方に、接続可能である、前記処理回路と、
動作時に、無線リンク選択メッセージを前記第１の基地局に送信する送信機であって、前記無線リンク選択メッセージが、どの少なくとも１つの無線リンクを介して前記データパケットを前記ユーザ機器に転送するかを前記第１の基地局に指示するための、前記決定された少なくとも１つの無線リンクに関する情報、を含む、前記送信機と、
を備えている、ユーザ機器。
【請求項２】
前記第１の無線リンクおよび前記第２の無線リンクが、異なる無線技術に基づいており、オプションとして、前記第１の無線リンクが、３ＧＰＰ（第３世代パートナーシッププロジェクト）のロングタームエボリューション技術、または、３ＧＰＰの第５世代（５Ｇ）の新しい無線技術、に基づいており、かつオプションとして、前記第２の無線リンクが、３ＧＰＰの第５世代（５Ｇ）の前記新しい無線技術、に基づいている、請求項１に記載のユーザ機器。
【請求項３】
前記処理回路が、動作時に、前記第１の無線リンクおよび／または前記第２の無線リンクのパラメータを測定し、前記測定されたパラメータをしきい値と比較し、前記処理回路が、動作時に、前記比較の結果に基づいて、無線リンク選択メッセージを送信することを決定する、および／または、
前記処理回路が、動作時に、前記第１の無線リンクおよび／または前記第２の無線リンクのパラメータを測定し、前記測定されたパラメータを、以前に測定されたパラメータと比較し、前記処理回路が、動作時に、前記比較の結果に基づいて、無線リンク選択メッセージを送信することを決定し、
オプションとして、前記第１の無線リンクのパラメータおよび前記第２の無線リンクのパラメータが、以下のパラメータ、すなわち、
・  基準信号受信電力（ＲＳＲＰ）
・  基準信号受信品質（ＲＳＲＱ）
・  信号対雑音比（ＳＮＲ）
の少なくとも１つを含む、
請求項１または請求項２に記載のユーザ機器。
【請求項４】
前記送信機が、動作時に、媒体アクセス制御（ＭＡＣ）制御要素の中で前記無線リンク選択メッセージを送信する、請求項１から請求項３のいずれか１項に記載のユーザ機器。
【請求項５】
前記処理回路が、動作時に、前記第１の基地局が、
・  前記第１の無線リンクのみを介して、または、
・  前記第２の無線リンクのみを介して、または、
・  前記第１の無線リンクおよび前記第２の無線リンクの両方を介して、
データパケットを転送するべきことを決定し、
オプションとして、前記処理回路が、前記第１の基地局が前記第１の無線リンクおよび前記第２の無線リンクの両方を介してデータパケットを転送するべきことを決定した場合に、
前記処理回路が、動作時に、前記第１の無線リンクを介して転送されるデータパケットと、前記第２の無線リンクを介して転送されるデータパケットとの間の比率、をさらに決定し、前記比率が前記無線リンク選択メッセージに含められる、または、
前記処理回路が、動作時に、前記データパケットが前記第１の無線リンクおよび前記第２の無線リンクを介して重複して転送されるべきことをさらに決定し、前記無線リンク選択メッセージが、前記重複に関する情報を含む、
請求項１から請求項４のいずれか１項に記載のユーザ機器。
【請求項６】
前記第１の無線リンクに割り当てられる、第１の無線リンクの識別情報が、前記第２の無線リンクに割り当てられる、第２の無線リンクの識別情報とは異なり、前記無線リンク選択メッセージに含まれている、前記少なくとも１つの無線リンクに関する前記情報が、前記第１の無線リンクの識別情報、および／または、前記第２の無線リンクの識別情報、を含み、
オプションとして、前記ユーザ機器の受信機が、動作時に、前記第１の無線リンクの識別情報、および／または、前記第２の無線リンクの識別情報、を前記第１の基地局から受信する、
請求項１から請求項５のいずれか１項に記載のユーザ機器。
【請求項７】
前記ユーザ機器が、前記第１の基地局と前記第２の基地局の間で分割されるスプリットベアラを使用して、前記第１の基地局および前記第２の基地局に接続可能であり、オプションとして、前記ユーザ機器のパケットデータコンバージェンスプロトコル（ＰＤＣＰ）層が、前記スプリットベアラの場合に共有され、前記データパケットが、ＰＤＣＰプロトコルデータユニット（ＰＤＣＰ  ＰＤＵ）である、または、
前記ユーザ機器が、前記第１の基地局および前記第２の基地局に、２つのベアラを介して個別に接続可能である、
請求項１から請求項６のいずれか１項に記載のユーザ機器。
【請求項８】
前記処理回路が、動作時に、前記第１の基地局および前記第２の基地局から受信される一連のデータパケットの受信報告の送信を制御するために、報告タイマを動作させ、前記報告タイマが、前記一連のデータパケットにおけるデータパケットが消失したものと最初に検出されたときに起動され、
前記処理回路が、動作時に、前記報告タイマが切れた時点で、前記第１の基地局に受信報告を送信することを決定して前記受信報告を生成し、前記受信報告が、前記第１の基地局および前記第２の基地局から正常に受信されたデータパケットを示し、
前記送信機が、動作時に、前記生成された受信報告を前記第１の基地局に送信する、
請求項１から請求項７のいずれか１項に記載のユーザ機器。
【請求項９】
前記処理回路が、動作時に、
・  前記第１の無線リンクおよび／または前記第２の無線リンクの前記測定されたパラメータが、それぞれの以前に測定されたパラメータと比較して、少なくとも特定の量だけ変化したときに、
前記受信報告を送信することをさらに決定し、
前記処理回路が、動作時に、前記受信報告を介して報告されるデータパケットが低い関連性であるとき、または、正常に受信されていないデータパケットの数が特定の数より小さいとき、前記受信報告を送信しないことを決定する、
請求項８に記載のユーザ機器。
【請求項１０】
前記送信機が、動作時に、前記受信報告を、前記無線リンク選択メッセージと一緒に前記第１の基地局に送信する、請求項８または請求項９に記載のユーザ機器。
【請求項１１】
移動通信システムにおいてユーザ機器を動作させる方法であって、前記ユーザ機器によって実行される以下のステップ、すなわち、
第１の基地局がデータパケットを前記ユーザ機器に転送するために介する少なくとも１つの無線リンクを決定するステップであって、前記ユーザ機器が、第１の無線リンクを介しての前記第１の基地局と、第２の無線リンクを介しての第２の基地局の両方に、接続可能である、ステップと、
無線リンク選択メッセージを前記第１の基地局に送信するステップであって、前記無線リンク選択メッセージが、どの少なくとも１つの無線リンクを介して前記データパケットを前記ユーザ機器に転送するかを前記第１の基地局に指示するための、前記決定された少なくとも１つの無線リンクに関する情報、を含む、ステップと、
を含む、方法。
【請求項１２】
前記ユーザ機器によって実行される以下のステップ、すなわち、
前記第１の基地局および前記第２の基地局から受信される一連のデータパケットの受信報告の送信を制御するために、報告タイマを動作させるステップであって、前記報告タイマが、前記一連のデータパケットにおけるデータパケットが失われたものと最初に検出されたときに起動される、ステップと、
前記報告タイマが切れた時点で、前記第１の基地局に受信報告を送信することを決定し、前記受信報告を生成するステップであって、前記受信報告が、前記第１の基地局および前記第２の基地局から正常に受信されたデータパケットを示す、ステップと、
前記生成された受信報告を前記第１の基地局に送信するステップと、
をさらに含む、請求項１１に記載の方法。
【請求項１３】
移動通信システムにおける第１の基地局であって、前記第１の基地局が、
動作時に、ユーザ機器から無線リンク選択メッセージを受信する受信機であって、前記ユーザ機器が、第１の無線リンクを介しての前記第１の基地局と、第２の無線リンクを介しての第２の基地局の両方に、接続可能であり、前記無線リンク選択メッセージが、前記第１の基地局がデータパケットを前記ユーザ機器に転送するために介する少なくとも１つの無線リンクに関する情報、を含む、前記受信機と、
動作時に、前記データパケットを前記ユーザ機器に転送するために介する少なくとも１つの無線リンクを、前記受信された無線リンク選択メッセージに基づいて決定する処理回路と、
動作時に、前記決定された少なくとも１つの無線リンクを介して前記データパケットを前記ユーザ機器に転送する送信機と、
を備えている、第１の基地局。
【請求項１４】
前記受信機が、動作時に、前記第１の基地局および前記第２の基地局から前記ユーザ機器によって正常に受信された前記データパケットを示す受信報告を、前記ユーザ機器から受信し、
かつ前記処理回路が、動作時に、前記データパケットを転送するために介する前記少なくとも１つの無線リンクの決定を、前記受信された受信報告に基づいて行い、
オプションとして、前記処理回路が、動作時に、前記ユーザ機器によって正常に受信されていないデータパケットを送信するか、およびどの無線リンクを介して送信するかを、前記受信された受信報告に基づいて決定する、
請求項１３に記載の第１の基地局。
【請求項１５】
移動通信システムにおけるユーザ機器であって、前記ユーザ機器が、
動作時に、第１の無線リンクに関する無線リンク情報および第２の無線リンクに関する無線リンク情報を生成する処理回路であって、前記ユーザ機器が、データパケットを交換するために、前記第１の無線リンクを介しての第１の基地局と、前記第２の無線リンクを介しての第２の基地局の両方に、接続可能である、前記処理回路と、
動作時に、前記データパケットを前記ユーザ機器に転送するために介する少なくとも１つの無線リンクを決定するために前記第１の基地局によって使用されるように、前記生成された無線リンク情報を前記第１の基地局に送信する送信機と、
を備えている、ユーザ機器。
【請求項１６】
前記第１の無線リンクおよび前記第２の無線リンクが、異なる無線技術に基づいており、オプションとして、前記第１の無線リンクが、３ＧＰＰ（第３世代パートナーシッププロジェクト）のロングタームエボリューション技術、または、３ＧＰＰの第５世代（５Ｇ）の新しい無線技術、に基づいており、かつオプションとして、前記第２の無線リンクが、３ＧＰＰの第５世代（５Ｇ）の前記新しい無線技術、に基づいている、請求項１５に記載のユーザ機器。
【請求項１７】
前記無線リンク情報が、少なくとも１つの無線リソース制御（ＲＲＣ）メッセージの中で送信される、請求項１５または請求項１６に記載のユーザ機器。
【請求項１８】
前記無線リンク情報が、以下、すなわち、
・  チャネル品質情報（ＣＱＩ）、
・  基準信号受信電力（ＲＳＲＰ）、基準信号受信品質（ＲＳＲＱ）、または信号対雑音比（ＳＮＲ）などのチャネル条件パラメータを含む測定報告、
の少なくとも１つを含む、
請求項１５から請求項１７のいずれか１項に記載のユーザ機器。
【請求項１９】
移動通信システムにおいてユーザ機器を動作させる方法であって、前記ユーザ機器によって実行される以下のステップ、すなわち、
第１の無線リンクに関する無線リンク情報および第２の無線リンクに関する無線リンク情報を生成するステップであって、前記ユーザ機器が、データパケットを交換するために、前記第１の無線リンクを介しての第１の基地局と、前記第２の無線リンクを介しての第２の基地局の両方に、接続可能である、ステップと、
前記データパケットを前記ユーザ機器に転送するために介する少なくとも１つの無線リンクを決定するために前記第１の基地局によって使用されるように、前記生成された無線リンク情報を前記第１の基地局に送信するステップと、
を含む、方法。
【請求項２０】
移動通信システムにおける第１の基地局であって、前記第１の基地局が、
動作時に、第１の無線リンクに関する無線リンク情報および第２の無線リンクに関する無線リンク情報をユーザ機器から受信する受信機であって、前記ユーザ機器が、データパケットを交換するために、前記第１の無線リンクを介しての前記第１の基地局と、前記第２の無線リンクを介しての第２の基地局の両方に、接続可能である、前記受信機と、
動作時に、前記データパケットを前記ユーザ機器に転送するために介する少なくとも１つの無線リンクを決定する処理回路と、
動作時に、前記データパケットを、前記決定された少なくとも１つの無線リンクを介して前記ユーザ機器に転送する送信機と、
を備えている、第１の基地局。
【請求項２１】
前記処理回路が、動作時に、前記第１の基地局が、
・  前記第１の無線リンクのみを介して、または、
・  前記第２の無線リンクのみを介して、または、
・  前記第１の無線リンクおよび前記第２の無線リンクの両方を介して、
データパケットを転送するべきことを決定し、
オプションとして、前記処理回路が、前記第１の基地局が前記第１の無線リンクおよび前記第２の無線リンクの両方を介してデータパケットを転送するべきことを決定した場合に、
前記処理回路が、動作時に、前記第１の無線リンクを介して転送されるデータパケットと、前記第２の無線リンクを介して転送されるデータパケットとの間の比率、をさらに決定する、または、
前記処理回路が、動作時に、前記データパケットが前記第１の無線リンクおよび前記第２の無線リンクを介して重複して転送されるべきことをさらに決定する、
請求項２０に記載の第１の基地局。
【発明の詳細な説明】
【技術分野】
【０００１】
本開示は、通信システム（３ＧＰＰ通信システムなど）においてデータを転送する方法、装置および構成を対象としている。
【背景技術】
【０００２】
現在、第３世代パートナーシッププロジェクト（３ＧＰＰ：3rd Generation Partnership Project）は、次世代のセルラ技術（第５世代（５Ｇ）とも称される）の技術仕様の次のリリース（リリース１５）に取り組んでいる。３ＧＰＰの技術仕様グループ（ＴＳＧ：Technical Specification Group）の無線アクセスネットワーク（ＲＡＮ：Radio Access network）会合＃７１（２０１６年３月、Ｇｏｔｈｅｎｂｕｒｇ）において、ＲＡＮ１、ＲＡＮ２、ＲＡＮ３、およびＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目になるものと予測される。
【０００３】
この検討項目の目的は、ＲＡＮの要件の検討時に定義されたように、最大１００ＧＨｚの周波数範囲で動作し、かつ広範なユースケースをサポートする「ＮＲ：New Radio」アクセス技術（ＲＡＴ）を開発することである（例えば非特許文献１（３ＧＰＰのウェブサイトで入手可能であり、参照により本明細書に組み込まれている）を参照）。
【０００４】
１つの目的は、非特許文献１に定義されているすべての使用シナリオ、要件、および配置シナリオに対処し、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、単一の技術的枠組みを提供することである。例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。第２の目的は、上位互換性を達成することである。ロングタームエボリューション（ＬＴＥ、ＬＴＥ−Ａ）セルラシステムとの下位互換性は要求されず、これにより、まったく新しいシステムの設計および／または新規の特徴の導入が促進される。
【０００５】
物理層の基本的な信号波形は、ＯＦＤＭに基づいており、非直交波形およびマルチアクセスがサポートされる可能性がある。例えば、ＯＦＤＭに加えての追加機能（ＤＦＴ−Ｓ−ＯＦＤＭ、および／または、ＤＦＴ−Ｓ−ＯＦＤＭのバリエーションなど）、および／または、フィルタリング／ウィンドウ化、がさらに考慮されている。ＬＴＥでは、ダウンリンク送信の波形としてサイクリックプレフィックス（ＣＰ）ベースのＯＦＤＭが使用され、アップリンク送信の波形としてＤＦＴ−Ｓ−ＯＦＤＭが使用されている。新無線（ＮＲ）における設計目標の１つは、ダウンリンク、アップリンク、およびサイドリンクのための、できる限り共通の波形を模索することである。
【０００６】
上に挙げた目的を達成するため、波形に加えて、いくつかの基本フレーム構造およびチャネル符号化方式が開発される。検討では、上に挙げた目的を達成するために、無線プロトコルの構造およびアーキテクチャに関する要求事項についての共通の認識も模索される。さらには、上に挙げた目的を満たすために新しいＲＡＴ（無線アクセス技術）を可能にするうえで必要である技術的機能（同じ連続する周波数ブロックにおいて、複数の異なるサービスおよびユースケースのトラフィックを効率的に多重化することを含む）が検討される。
【先行技術文献】
【非特許文献】
【０００７】
【非特許文献１】3GPP TR 38.913 “Study on Scenarios and Requirements for Next Generation Access Technologies”, current version 14.0.0
【非特許文献２】3GPP TR 38.801 v1.0.0
【非特許文献３】TR 38.301
【非特許文献４】TS 36.323 v14.0.0
【非特許文献５】TS 36.322 v13.2.0
【非特許文献６】TS 36.300, v14.1.0
【非特許文献７】TS 36.213 v14.1.0
【非特許文献８】TS 36.331 V 14.0.0
【非特許文献９】3GPP TS 36.321, v14.1.0
【発明の概要】
【発明が解決しようとする課題】
【０００８】
３ＧＰＰの第５世代システムの新無線（ＮＲ）の標準化は開始されたばかりであるため、依然として明らかになっていないいくつかの課題が存在する。例えば、（１基または複数基の）ＵＥが、以前の通信技術（３ＧＰＰのＬＴＥまたはＬＴＥ−Ａなど）を使用するセルと、３ＧＰＰ第５世代の新しい通信技術（ＮＲ）を使用するセルの両方に接続されるマルチコネクティビティ（multi-connectivity）のシナリオにおいて、データ提供をどのように効率的に実施するかは、明らかになっていないままである。
【課題を解決するための手段】
【０００９】
本発明を制限することのない例示的な一実施形態は、改良されたデータ提供手順を提供することを促進する。
【００１０】
１つの一般的な第１の態様においては、本明細書に開示されている技術は、移動通信システムにおけるユーザ機器、を提供する。本ＵＥは、動作時に、第１の基地局がデータパケットをユーザ機器に転送するために介する少なくとも１つの無線リンクを決定する処理回路、を備えている。ユーザ機器は、第１の無線リンクを介しての第１の基地局と、第２の無線リンクを介しての第２の基地局の両方に、接続可能である。本ＵＥは、動作時に無線リンク選択メッセージを第１の基地局に送信する送信機、をさらに備えている。無線リンク選択メッセージは、どの少なくとも１つの無線リンクを介してデータパケットをユーザ機器に転送するかを第１の基地局に指示するための、決定された少なくとも１つの無線リンクに関する情報、を含む。
【００１１】
１つの一般的な第１の態様においては、本明細書に開示されている技術は、移動通信システムにおいてユーザ機器を動作させる方法、を提供する。本方法は、ユーザ機器によって実行される以下のステップを含む。第１の基地局がデータパケットをユーザ機器に転送するために介する少なくとも１つの無線リンク、を決定する。ユーザ機器は、第１の無線リンクを介しての第１の基地局と、第２の無線リンクを介しての第２の基地局の両方に、接続可能である。無線リンク選択メッセージを第１の基地局に送信する。無線リンク選択メッセージは、どの少なくとも１つの無線リンクを介してデータパケットをユーザ機器に転送するかを第１の基地局に指示するための、決定された少なくとも１つの無線リンクに関する情報、を含む。
【００１２】
１つの一般的な第１の態様においては、本明細書に開示されている技術は、移動通信システムにおける第１の基地局、を提供する。第１の基地局の受信機は、動作時に、ユーザ機器から無線リンク選択メッセージを受信する。ユーザ機器は、第１の無線リンクを介しての第１の基地局と、第２の無線リンクを介しての第２の基地局の両方に、接続可能である。無線リンク選択メッセージは、第１の基地局がデータパケットをユーザ機器に転送するために介する少なくとも１つの無線リンク、に関する情報を含む。第１の基地局の処理回路は、動作時に、データパケットをユーザ機器に転送するために介する少なくとも１つの無線リンクを、受信された無線リンク選択メッセージに基づいて決定する。第１の基地局の送信機は、動作時に、決定された少なくとも１つの無線リンクを介してデータパケットをユーザ機器に転送する。
【００１３】
１つの一般的な第２の態様においては、本明細書に開示されている技術は、移動通信システムにおけるユーザ機器、を提供する。本ユーザ機器の処理回路は、動作時に、第１の無線リンクに関する無線リンク情報および第２の無線リンクに関する無線リンク情報、を生成する。ユーザ機器は、データパケットを交換するために、第１の無線リンクを介しての第１の基地局と、第２の無線リンクを介しての第２の基地局の両方に、接続可能である。ユーザ機器の送信機は、動作時に、データパケットをユーザ機器に転送するために介する少なくとも１つの無線リンクを決定するために第１の基地局によって使用されるように、生成された無線リンク情報を第１の基地局に送信する。
【００１４】
１つの一般的な第２の態様においては、本明細書に開示されている技術は、移動通信システムにおいてユーザ機器を動作させる方法、を提供する。本方法は、以下のステップを含む。第１の無線リンクに関する無線リンク情報および第２の無線リンクに関する無線リンク情報、を生成する。ユーザ機器は、データパケットを交換するために、第１の無線リンクを介しての第１の基地局と、第２の無線リンクを介しての第２の基地局の両方に、接続可能である。データパケットをユーザ機器に転送するために介する少なくとも１つの無線リンクを決定するために第１の基地局によって使用されるように、生成された無線リンク情報が第１の基地局に送信される。
【００１５】
１つの一般的な第３の態様においては、本明細書に開示されている技術は、移動通信システムにおける第１の基地局、を提供する。第１の基地局の受信機は、動作時に、第１の無線リンクに関する無線リンク情報および第２の無線リンクに関する無線リンク情報を、ユーザ機器から受信する。ユーザ機器は、データパケットを交換するために、第１の無線リンクを介しての第１の基地局と、第２の無線リンクを介しての第２の基地局の両方に、接続される。第１の基地局の処理回路は、動作時に、データパケットをユーザ機器に転送するために介する少なくとも１つの無線リンクを決定する。第１の基地局の送信機は、動作時に、決定された少なくとも１つの無線リンクを介してデータパケットをユーザ機器に転送する。
【００１６】
なお、一般的な実施形態または特定の実施形態は、システム、方法、集積回路、コンピュータプログラム、記憶媒体、またはこれらの任意の選択的な組合せとして、実施できることに留意されたい。
【００１７】
開示されている実施形態のさらなる恩恵および利点は、本明細書および図面から明らかであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【００１８】
以下では、例示的な実施形態について、添付の図面を参照しながらさらに詳しく説明する。
【図面の簡単な説明】
【００１９】
【図１】ＵＥがｇＮＢおよびＬＴＥ  ｅＮＢの両方に接続されている、３ＧＰＰ  ＮＲシステムの例示的なアーキテクチャを示している。
【図２】ＬＴＥ  ｅＮＢ、ｇＮＢ、およびＵＥの例示的なユーザプレーンアーキテクチャを示している。
【図３】プロトコルデータユニット（ＰＤＵ）およびサービスデータユニット（ＳＤＵ）の関係と、これらの層間の交換とを示している。
【図４】ＰＤＣＰ層、ＲＬＣ層、およびＭＡＣ層におけるさまざまな機能の概要を示しており、さらに、さまざまな層によるＳＤＵ／ＰＤＵの処理を例示的に示している。
【図５】ＰＤＣＰ制御ＰＤＵのフォーマットを示している。
【図６】デュアルコネクティビティにおけるＭｅＮＢおよびＳｅＮＢのユーザプレーンアーキテクチャを示している。
【図７】デュアルコネクティビティにおける特定のＵＥのためのＭｅＮＢおよびＳｅＮＢの制御プレーンのコネクティビティを示している。
【図８】デュアルコネクティビティにおける特定のＵＥのためのＭｅＮＢおよびＳｅＮＢのユーザプレーンのコネクティビティを示している。
【図９】ＵＥおよびｅＮＢ（ＬＴＥ  ｅＮＢまたはｇＮＢ）の例示的かつ単純化された構造を示している。
【図１０】本開示のさまざまな解決策による、ＵＥの挙動の単純化された例示的な流れ図である。
【図１１】本開示のさまざまな解決策による、ＵＥの挙動の単純化された例示的な流れ図である。
【図１２】本開示のさまざまな解決策による、ＵＥの挙動の単純化された例示的な流れ図である。
【図１３】本開示の別の解決策による、ＵＥの挙動の単純化された例示的な流れ図である。
【図１４】解決策の１つのバリエーションによる、ＵＥからＬＴＥ  ｅＮｏｄｅＢにチャネル状態のフィードバックを提供するための異なるオプションを示している。
【図１５】解決策の１つのバリエーションによる、ＵＥからＬＴＥ  ｅＮｏｄｅＢにチャネル状態のフィードバックを提供するための異なるオプションを示している。
【図１６】本開示のさらに別の解決策による、スプリットベアラのＰＤＣＰ  ＰＤＵのダウンリンクデータ提供と、ＵＥからＬＴＥ  ｅＮｏｄｅＢへの対応するＡＣＫ状態報告フィードバックを示している。
【図１７】本開示のさらに別の解決策による、スプリットベアラのＰＤＣＰ  ＰＤＵのダウンリンクデータ提供と、ＵＥからＬＴＥ  ｅＮｏｄｅＢへの対応するＡＣＫ状態報告フィードバックを示している。
【図１８】ＡＣＫ状態報告の例示的なフォーマットを示している。
【図１９】本開示の１つの解決策によるＵＥの挙動の単純化された例示的な流れ図である。
【発明を実施するための形態】
【００２０】
［本開示の基礎］
背景技術のセクションに示したように、３ＧＰＰは、第５世代セルラ技術（簡潔に５Ｇと称される）の次のリリース（最大１００ＧＨｚの周波数範囲で動作する新しい無線アクセス技術（ＮＲ）の開発を含む）に取り組んでいる。
【００２１】
例えば非特許文献２（その全体が参照により本明細書に組み込まれている）に反映されているように、現在、さまざまな異なる配置シナリオが、サポートされるかに関して検討されている。この文献には、非中央集中型の配置シナリオ（非特許文献２の５．２節）が提示されており、このシナリオでは、５Ｇ  ＮＲをサポートする基地局を配置することができる。図１は、例示的な非中央集中型の配置シナリオを示しており、非特許文献３の図５．２．−１に基づいており、ＬＴＥ  ｅＮＢとユーザ機器（ＵＥ）とを、さらに示しており、ユーザ機器（ＵＥ）は、ｇＮＢおよびＬＴＥ  ｅＮＢ（このｅＮＢはＬＴＥおよびＬＴＥ−Ａなど以前の３ＧＰＰ標準リリースによるｅＮＢとして理解されたい）の両方に接続されている。
【００２２】
ｅＬＴＥ  ｅＮＢ（非特許文献２に例示的に定義されている）は、ＥＰＣ（進化型パケットコア（Evolved Packet Core））およびＮＧＣ（次世代コア（Next Generation Core））のコネクティビティをサポートするｅＮＢの進化型である。
【００２３】
このＲＡＮアーキテクチャは、新しいＲＡＴ（無線アクセス技術）とＬＴＥとの間の密接なインターワーキングをサポートすることができる。これに関連して、ＬＴＥと新しい無線アクセス技術ＮＲ  ５Ｇとの間のマルチコネクティビティをサポートすることができ、このマルチコネクティビティは、デュアルコネクティビティのコンセプト（ＬＴＥおよびＬＴＥ−Ａの以前の３ＧＰＰリリースからすでに公知であり、後から簡潔に説明する）に基づくことができる。マルチコネクティビティとは、接続モード（Connected Mode）にあるマルチ受信／送信ＵＥ（multiple-Rx/Tx UE）が、非理想的なバックホールリンクを介して接続されている複数の個別のスケジューラ（例：ＬＴＥ  ｅＮＢおよびｇＮＢ）によって提供される、Ｅ−ＵＴＲＡおよびＮＲの中の無線リソースを利用するように構成される動作モードとして定義することができる。マルチコネクティビティは、ＵＥがＬＴＥ（−Ａ）ネットワークと新しい５Ｇネットワークとに同時に接続することを可能にすることができる（例示的にＬＴＥ−ＮＲマルチコネクティビティと称する）。
【００２４】
デュアルコネクティビティのすでに公知のコンセプトに従って、ＬＴＥ（−Ａ）ｅＮＢをマスターｅＮＢ（ＭｅＮＢ）とみなすことができ、その一方で、５Ｇの新しいｅＮＢ（例示的にｇＮＢと称する）をセカンダリｅＮＢ（ＳｅＮＢ）とみなすことができる。これに代えて、マルチコネクティビティのシナリオでは、ＬＴＥ  ｅＮＢをＳｅＮＢとし、ｇＮＢをＭｅＮＢとすることができる。しかしながら、ＮＲ−ＮＲマルチコネクティビティ（ＭｅＮＢとＳｅＮＢの両方がｇＮＢである）もサポートできることにも留意されたい。
【００２５】
図２は、ＬＴＥ−ＮＲマルチコネクティビティに関連して現在検討されている例示的かつ一般的なユーザプレーンアーキテクチャを示しており、ＬＴＥ  ｅＮＢを介してのＭＣＧ（マスターセルグループ：Master Cell Group）ベアラと、ＬＴＥ  ｅＮＢとｇＮＢとの間で分割されるベアラと、ｇＮＢを介してのＳＣＧ（セカンダリセルグループ：Secondary Cell Group）ベアラとを有する（例えば非特許文献２の１０．１節（参照により本明細書に組み込まれている）を参照）。さらに図２は、ＵＥの例示的なユーザプレーンアーキテクチャも示しており、ＬＴＥ  ｅＮＢおよびｇＮＢからこれらのベアラを介して受信されるデータパケットを処理する、ＵＥにおけるさまざまな層を示している。
【００２６】
現時点で５Ｇシステムにおいて例示的に想定される新しいＮＲ層は、簡潔さと説明を目的として、ＬＴＥ（−Ａ）通信システムにおいて現在使用されているユーザプレーンの層構造に基づくことができる。したがって複数の異なる層は、ＮＲ  ＭＡＣ層、ＮＲ  ＲＬＣ層、およびＮＲ  ＰＤＣＰ層と称され、これらの層を、一般的に知られているＬＴＥの層（ＭＡＣ、ＲＬＣ、およびＰＤＣＰ）に対応させることができるが、これらのＮＲ層を、ＬＴＥ層に基づいているが上記とは異なる層とすることもできることを示している。しかしながら、現時点ではＮＲ層に関して最終的な合意に達していないことに留意されたい。
【００２７】
本明細書において以下で使用される、サービスデータユニット（ＳＤＵ）およびプロトコルデータユニットという用語について、図３に関連して説明する。ＯＳＩモデルにおける層（上に挙げたＭＡＣ、ＲＬＣ、およびＰＤＣＰなど）の間でのパケットの交換を一般的かつ形式的に説明する目的で、ＳＤＵエンティティおよびＰＤＵエンティティが導入された。ＳＤＵは、層Ｎに位置するプロトコルからのサービスを要求する層Ｎ＋１におけるプロトコルから、いわゆるサービスアクセスポイント（ＳＡＰ）を介して送られる情報の単位（データ／情報ブロック）である。ＰＤＵは、同じ層Ｎに位置する同じプロトコルの、送信機および受信機におけるピアプロセスの間で交換される情報の単位である。
【００２８】
ＰＤＵは、一般的には、受信された（１つまたは複数の）ＳＤＵの処理済みバージョン（先頭に層Ｎの固有なヘッダが付加され、オプションとして最後にトレーラが付加されている）からなるペイロード部によって形成される。これらのピアプロセスの間には（層１を除いて）直接的な物理的接続が存在しないため、ＰＤＵは、層Ｎ−１に渡されて処理される。したがって層ＮのＰＤＵは、層Ｎ−１の観点からはＳＤＵである。
【００２９】
図２に示したように、ＬＴＥのレイヤ２のユーザプレーンのプロトコルスタックは、３つの副層ＰＤＣＰ、ＲＬＣ、およびＭＡＣから構成されている。さらなる層は、図２には示していないが、ＬＴＥのレイヤ１（物理層）である。図４は、リンク層プロトコルから物理層までのＩＰパケットのデータの流れを例示的に描いている。この図は、各プロトコル副層がデータユニットに自身のプロトコルヘッダを付加することを示している。
【００３０】
送信側においては、各層は、自身がサービスを提供する対象の上の層からＳＤＵを受け取り、下の層にＰＤＵを出力する。ＲＬＣ層はＰＤＣＰ層からパケットを受け取る。これらのパケットは、ＰＤＣＰの観点からはＰＤＣＰ  ＰＤＵと称することができ、ＲＬＣの観点からはＲＬＣ  ＳＤＵである。ＲＬＣ層は、下の層（すなわちＭＡＣ層）に提供されるパケットを作成する。ＲＬＣによってＭＡＣ層に提供されるパケットは、ＲＬＣの観点からはＲＬＣ  ＰＤＵであり、ＭＡＣの観点からはＭＡＣ  ＳＤＵである。受信側においては、このプロセスが逆に行われ、各層はＳＤＵを上の層に渡し、上の層ではこれらのＳＤＵをＰＤＵとして受け取る。
【００３１】
物理層は、本質的に、ターボ符号化および巡回冗長検査（ＣＲＣ）によって保護されたビットパイプ（bitpipe）を提供する。リンク層のプロトコル（ＭＡＣ、ＲＬＣ、およびＰＤＣＰ）は、増大した信頼性、セキュリティ、および完全性によって、上位層へのサービスを向上させる。これに加えて、リンク層は、マルチユーザの媒体アクセスおよびスケジューリングの役割を担う。パケットデータコンバージェンスプロトコル（ＰＤＣＰ：Packet Data Convergence Protocol）副層は、主として、ＩＰヘッダの圧縮および暗号化の役割を担う。これに加えて、ＰＤＣＰ副層は、ｅＮＢ間のハンドオーバーの場合に消失のない（ロスレス）モビリティをサポートし、上位層の制御プロトコルに完全性保護を提供する。無線リンク制御（ＲＬＣ）副層は、主としてＡＲＱ機能を備えており、また、データの分割および連結をサポートする。データの分割および連結によって、データレートとは無関係にプロトコルのオーバーヘッドが最小になる。最後に、媒体アクセス制御（ＭＡＣ）副層は、ＨＡＲＱ（ハイブリッド自動再送要求）を提供し、また、スケジューリング動作やランダムアクセスなど、媒体へのアクセスに必要な機能を担う。
【００３２】
以下ではレイヤ２の副層についてさらに詳しく説明する。
【００３３】
ＬＴＥシステムにおいては、ＰＤＣＰ層は、制御プレーンにおける無線リソース制御（ＲＲＣ：Radio Resource Control）メッセージと、ユーザプレーンにおけるＩＰパケットを処理する。ＰＤＣＰ層の主たる機能は、無線ベアラに応じて以下のとおりである。
−  ユーザプレーンデータのヘッダの圧縮および復元
−  セキュリティ機能：
○  ユーザプレーンデータおよび制御プレーンデータの暗号化および復号
○  制御プレーンデータの完全性の保護および検証
−  ハンドオーバーのサポート機能：
○  ハンドオーバー時における上の層のためのＰＤＵの順次配信および並べ替え
○  ＲＬＣ確認モード（ＡＭ）においてマッピングされたユーザプレーンデータのロスレスハンドオーバー
−  タイムアウトによるユーザプレーンデータの破棄
【００３４】
ＰＤＣＰ層は、ユーザプレーンにおけるデータストリームと、制御プレーンにおけるデータストリームを管理する。ＬＴＥでは、２つの異なるタイプのＰＤＣＰ  ＰＤＵとして、ＰＤＣＰデータＰＤＵとＰＤＣＰ制御ＰＤＵが定義されている。ＰＤＣＰデータＰＤＵは、制御プレーンデータおよびユーザプレーンデータの両方に使用される。ＰＤＣＰ制御ＰＤＵは、ヘッダ圧縮のフィードバック情報と、ＰＤＣＰ状態報告のフィードバック情報）を伝送するために使用することができ、ＰＤＣＰ状態報告は、ハンドオーバーの場合に使用され、したがってユーザプレーン内でのみ使用される。
【００３５】
ＰＤＣＰ制御ＰＤＵ（そのフォーマットは図５に例示的に示してある）は、ユーザプレーンデータを扱うＰＤＣＰエンティティによって使用される。２つのタイプのＰＤＣＰ制御ＰＤＵがあり、ＰＤＣＰヘッダ内のＰＤＵタイプフィールドによって区別される。ＰＤＣＰ制御ＰＤＵは、ロスレスハンドオーバーの場合のＰＤＣＰ「状態報告」、またはＲＯＨＣヘッダ圧縮プロトコルによって作成されるＲＯＨＣ（ロバストヘッダ圧縮）フィードバックのずれかを伝える。ＲＯＨＣフィードバックを伝えるＰＤＣＰ制御ＰＤＵは、ＲＬＣ  ＵＭまたはＲＬＣ  ＡＭのいずれかにマッピングされたユーザプレーン無線ベアラに使用され、ＰＤＣＰ状態報告を伝えるＰＤＣＰ制御ＰＤＵは、ＲＬＣ  ＡＭにマッピングされたユーザプレーン無線ベアラにのみ使用される。
【００３６】
ロスレスハンドオーバーの場合のＰＤＣＰ状態報告を伝えるＰＤＣＰ制御ＰＤＵは、すでに正常に受信されたＰＤＣＰ  ＳＤＵの再送信を防止するためと、正常に受信されたがヘッダの復元に失敗したＰＤＣＰ  ＳＤＵの再送信を要求するために使用される。
【００３７】
ＬＴＥセルラシステムにおいて現在定義されているＰＤＣＰ層は、３ＧＰＰ技術規格である非特許文献４（参照により本明細書に組み込まれている）に規定されている。
【００３８】
ＲＬＣ層は、ＰＤＣＰ層（ＲＬＣの観点からは「上位」層）と、ＭＡＣ層（ＲＬＣの観点からは「下位」層）との間に位置する。ＲＬＣ層は、サービスアクセスポイント（ＳＡＰ）を通じてＰＤＣＰ層と通信し、論理チャネルを介してＭＡＣ層と通信する。ＲＬＣ層は、ＰＤＣＰ  ＰＤＵ（すなわちＲＬＣ  ＳＤＵ）を、ＭＡＣ層によって示されるサイズにちょうど収まるように再フォーマットする。すなわち、送信側のＲＬＣはＰＤＣＰ  ＰＤＵの分割および／または連結を行い、受信側のＲＬＣはＲＬＣ  ＰＤＵを組み立て直してＰＤＣＰ  ＰＤＵを再構築する。これに加えて、ＲＬＣは、ＭＡＣ層において実行されるＨＡＲＱ動作に起因してＲＬＣ  ＰＤＵが正しくない順序で受信された場合、ＲＬＣ  ＰＤＵを並べ替える。
【００３９】
ＲＬＣ層の機能は、「ＲＬＣエンティティ」によって実行される。ＲＬＣエンティティは、３つのデータ伝送モード、すなわち、透過モード（ＴＭ）、非確認モード（ＵＭ）、確認モード（ＡＭ）のうちの１つに設定される。確認モード（ＡＭ）では、再送信をサポートするための特殊な機能が定義されており、そのうちの１つはＲＬＣ状態報告からなり、このＲＬＣ状態報告は、ＲＬＣ  ＡＭ受信側エンティティが、ＲＬＣ  ＰＤＵ（またはそれらの一部）の肯定応答および／または否定応答をフィードバックとしてピアＲＬＣ  ＡＭ送信側エンティティに提供するために使用される。
【００４０】
ＬＴＥセルラシステムにおいて現在定義されているＲＬＣ層は、３ＧＰＰ技術規格である非特許文献５（参照により本明細書に組み込まれている）に規定されている。ＲＬＣ層の状態報告は、例えば、非特許文献５の５．２．３節に記載されており、ＳＴＡＴＵＳ  ＰＤＵは、非特許文献５の６．２．１．６節に詳しく説明されている。
【００４１】
前回の３ＧＰＰ会合ＲＡＮ２  ＃９６では、５Ｇ  ＮＲにおけるＲＬＣ（無線リンク制御）リオーダリングおよびＰＤＣＰ（パケットデータコンバージェンスプロトコル）リオーダリングの機能に関してさらなる合意に達した。特に、ＰＤＣＰ  ＰＤＵの正しくない順序での復号を禁止すべきではないことが合意された。ＮＲ  ＰＤＣＰ層は、リオーダリング機能（Ｔ−リオーダリング）をサポートすることができる。ＮＲ  ＲＬＣ  ＡＭ（確認モード）は、ＲＬＣ状態報告の内容を求める目的で、Ｔ−リオーダリング（T-reordering）に似た機能をサポートすることができる。ＮＲ  ＲＬＣは、ＲＬＣ  ＳＤＵ（サービスデータユニット）を組み立て直して、それらを、受け取った順序で上位層に渡す。
【００４２】
前述したように、ＬＴＥネットワークと５Ｇ  ＮＲネットワークのインターワーキングのためのマルチコネクティビティは、ＬＴＥから公知であるデュアルコネクティビティのコンセプトに基づくことができる。ＬＴＥにおけるいわゆる「デュアルコネクティビティ」コンセプトは、マスターセルグループ（ＭＣＧ）およびセカンダリセルグループ（ＳＣＧ）を有するように設定される、（ＲＲＣ＿ＣＯＮＮＥＣＴＥＤ状態にある）ＵＥの動作のモードを意味する。デュアルコネクティビティは、主として、３ＧＰＰ技術規格である非特許文献６（参照により本明細書に組み込まれている）の例えば４．９節、６．５節、７．６節、１０．１．２．３．４節、１０．１．２．８節、および付録Ｍに定義されている。ＭＣＧは、デュアルコネクティビティに関連して使用される用語であり、ＭｅＮＢに関連付けられるサービングセルのグループ（ＰＣｅｌｌおよびオプションとして１つまたは複数のＳＣｅｌｌを含む）として理解することができる。ＳＣＧは、ＳｅＮＢに関連付けられるサービングセルのグループ（ＰＳＣｅｌｌおよびオプションとして１つまたは複数のＳＣｅｌｌを含む）として理解することができる。ＭＣＧベアラは、その無線プロトコルがＭｅＮＢにのみ位置しており、ＭｅＮＢのリソースのみを使用するベアラである。ＳＣＧベアラは、その無線プロトコルがＳｅＮＢにのみ位置しており、ＳｅＮＢのリソースを使用するベアラである。スプリットベアラは、その無線プロトコルがＭｅＮＢおよびＳｅＮＢの両方に位置しており、ＭｅＮＢのリソースおよびＳｅＮＢのリソースの両方を使用するベアラである。
【００４３】
Ｅ−ＵＴＲＡＮ（ＬＴＥ）は、デュアルコネクティビティ（ＤＣ）動作をサポートし、それによって、ＲＲＣ＿ＣＯＮＮＥＣＴＥＤ状態にあるマルチ受信／送信ＵＥが、Ｘ２インタフェースを通じて非理想的なバックホールを介して接続されている２基のｅＮＢ内に位置している２つの個別のスケジューラによって提供される無線リソースを利用するように構成される。特定のＵＥのデュアルコネクティビティ（ＤＣ）に関与するｅＮＢは、２つの異なる役割を担い、すなわちｅＮＢは、ＭｅＮＢまたはＳｅＮＢのいずれかとして機能することができる。デュアルコネクティビティ（ＤＣ）では、ＵＥは、少なくとも１基のＭｅＮＢと１基のＳｅＮＢとに接続されており、特定のベアラが使用する無線プロトコルアーキテクチャは、そのベアラがどのように確立されるかに依存する。３つのベアラタイプ、すなわち、ＭＣＧベアラ、ＳＣＧベアラ、およびスプリットベアラが存在する。これらのベアラタイプは図６に示してある。デュアルコネクティビティにおけるｅＮＢ間の制御プレーンシグナリングは、Ｘ２インタフェースシグナリングによって実行される。ＭＭＥへの制御プレーンシグナリングは、Ｓ１インタフェースシグナリングによって実行される。
【００４４】
ＭｅＮＢとＭＭＥとの間には、ＤＣ  ＵＥあたり１つのみのＳ１−ＭＭＥ接続が存在する。各ｅＮＢは独立してＵＥを処理する（すなわち、いくつかのＵＥにＰＣｅｌｌを提供する一方で、別のＵＥにＳＣＧの（１つまたは複数の）ＳＣｅｌｌを提供する）ことができるべきである。特定のＵＥのデュアルコネクティビティ（ＤＣ）に関与する各ｅＮＢは、自身の無線リソースを管理し、自身のセルの無線リソースを割り当てる役割を主として担う。ＭｅＮＢとＳｅＮＢとの間のそれぞれの調整は、Ｘ２インタフェースシグナリングによって実行される。図７は、特定のＵＥのデュアルコネクティビティ（ＤＣ）に関与するｅＮＢの制御プレーンのコネクティビティを示している。Ｓ１−ＭＭＥはＭｅＮＢにおいて終了し、ＭｅＮＢとＳｅＮＢはＸ２−Ｃを介して相互接続されている。
【００４５】
デュアルコネクティビティの場合、２つの異なるユーザプレーンアーキテクチャが可能である。一方のアーキテクチャでは、Ｓ１−ＵがＭｅＮＢのみにおいて終了し、ユーザプレーンデータはＸ２−Ｕを使用してＭｅＮＢからＳｅＮＢに伝送され、第２のアーキテクチャでは、Ｓ１−ＵがＳｅＮＢにおいて終了することができる。図８は、特定のＵＥのデュアルコネクティビティ（ＤＣ）に関与するｅＮＢの、ユーザプレーンのコネクティビティの複数の異なるオプションを示している。ＭＣＧベアラについては、Ｓ−ＧＷへの対応する（１つまたは複数の）ベアラのためのＳ１−Ｕ接続は、ＭｅＮＢにおいて終了する。ＳｅＮＢは、Ｕｕを通じてのこのタイプのベアラのユーザプレーンデータの伝送に関与しない。スプリットベアラについては、Ｓ−ＧＷへのＳ１−Ｕ接続は、ＭｅＮＢにおいて終了する。ＰＤＣＰデータは、Ｘ２−Ｕを介してＭｅＮＢとＳｅＮＢの間で伝送される。ＳｅＮＢおよびＭｅＮＢが、Ｕｕを通じてのこのベアラタイプのデータの送信に関与する。ＳＣＧベアラについては、ＳｅＮＢがＳ１−Ｕを介してＳ−ＧＷに直接接続される。ＭｅＮＢは、Ｕｕを通じてのこのタイプのベアラのユーザプレーンデータの伝送に関与しない。
【００４６】
デュアルコネクティビティ（ＤＣ）の場合、ＵＥは、２つのＭＡＣエンティティ、すなわちＭｅＮＢのための１つのＭＡＣエンティティと、ＳｅＮＢのための１つのＭＡＣエンティティ、を有するように構成される。
【００４７】
図９は、ユーザ機器（通信装置とも称される）およびスケジューリング装置（ここでは基地局（例えばＬＴＥ  ｅＮＢおよびｇＮＢ）内に位置しているものと想定する）の一般的かつ単純化された例示的なブロック図を示している。ＵＥとｅＮＢは、それぞれ送受信機を使用して（無線）物理チャネルを通じて互いに通信している。
【００４８】
通信装置は、送受信機および処理回路を備えていることができる。送受信機は、受信機および送信機を備えていることができる。処理回路は、１つまたは複数のハードウェア（１個または複数個のプロセッサやＬＳＩなど）とすることができる。送受信機と処理回路との間には、入力／出力点（またはノード）が存在しており、処理回路は、動作時に、この入力／出力点を通じて送受信機を制御して（すなわち受信機および／または送信機を制御して）、受信／送信データを交換することができる。送受信機は、１つまたは複数のアンテナ、増幅器、ＲＦ変調器／復調器などを含むＲＦフロントエンドを含むことができる。処理回路は、処理回路によって提供されるユーザデータおよび制御データを送信するように送受信機を制御する、および／または、処理回路によってさらに処理されるユーザデータおよび制御データを受信するように送受信機を制御するなどの、制御タスクを実施することができる。
【００４９】
５Ｇセルラシステムのための新しい無線技術は、ノイズおよび誤りの影響を受けやすい高周波数帯域（実に最大１００ＧＨｚ）でも動作する。したがってユーザは、不良なチャネル条件を長時間にわたり経験することがあり、これによりパケットロスの確率が増大しうる。このことは、さまざまな点で不利である。例えば、ｇＮＢ（より具体的にはｇＮＢ内のＮＲ  ＲＬＣ層）が、必ずしもＲＬＣ状態報告を受信しないことがあり、したがってＮＲ  ｇＮＢから（バックホールリンクを介して）ＬＴＥ  ｅＮＢへの対応するフィードバックも失われる、または少なくとも遅延する。さらには、パケットロスに起因して、ＰＤＣＰリオーダリングプロセスが遅延し、なぜなら正しくない順序で受信されたＰＤＣＰ  ＰＤＵは、正しい順序になるまでリオーダリングバッファ内に格納されているためである。ＰＤＣＰ  ＰＤＵのより多くの再送信が必要となるため、無線リソースが非効率的に使用されてエネルギが無駄になる。
【００５０】
したがって本開示は、上に挙げた欠点の１つまたは複数を克服することを促進する解決策を提示する。
【００５１】
［本開示の詳細な説明］
以下では、５Ｇ移動通信システムにおいて予想される新しい無線アクセス技術のための、ＵＥ、基地局、および手順について説明する。複数の異なる実装形態および変形形態も説明する。以下の詳細な開示は、前のセクション「本開示の基礎」に基づいている。
【００５２】
しかしながら、一般的には、５Ｇセルラ通信システムに関して実際に合意されたことはごくわずかであり、したがって以下では、本開示の基礎をなす原理を説明することができるように、多くの想定を行わなければならないことに留意されたい。しかしながら、これらの想定は、本開示の範囲を制限することのない単なる例として理解されたい。本開示の、請求項に記載されている原理を、さまざまなシナリオに、本明細書に明示的に説明されていない方法で適用できることが、当業者には認識されるであろう。
【００５３】
さらに、次の３ＧＰＰ  ５Ｇ通信システムのための新しい無線アクセス技術に関連して使用される特定の専門用語はまだ完全には決定されていないが、以下で使用されている用語は、ＬＴＥ／ＬＴＥ−Ａシステムに密接に関係している。したがって、本発明およびその保護範囲は、より新しい専門用語が存在しない理由で本明細書において例示的に使用されている特定の用語に制限されるべきではなく、本開示の機能・動作および原理の基礎をなす機能およびコンセプトに関して広義に理解されるべきであることが、当業者には認識されるであろう。
【００５４】
例えば、「移動局（mobile station）」、「移動ノード（mobile node）」、「ユーザ端末（user terminal）」、または「ユーザ機器（ＵＥ）」は、通信ネットワーク内の物理エンティティである。１つのノードがいくつかの機能エンティティを有することができる。機能エンティティとは、所定の一連の機能を実施する、および／または、所定の一連の機能をノードまたはネットワークの別の機能エンティティに提供する、ソフトウェアモジュールまたはハードウェアモジュールを意味する。ノードは、通信機器または通信媒体にノードをアタッチする１つまたは複数のインタフェースを有することができ、ノードはこれらのインタフェースを通じて通信することができる。同様に、ネットワークエンティティは、機能エンティティを通信機器または通信媒体にアタッチする論理インタフェースを有することができ、ネットワークエンティティは論理インタフェースを通じて別の機能エンティティまたは通信相手ノードと通信することができる。
【００５５】
用語「基地局」は、本明細書においては、通信ネットワーク内の物理エンティティを意味する。この物理エンティティは、通信装置に関していくつかの制御タスク（スケジューリングおよび設定の１つまたは複数を含む）を実行する。なお、基地局の機能および通信装置の機能を、１つの装置内に統合してもよいことに留意されたい。例えば、移動端末が、他の端末に対して基地局の機能を実施してもよい。
【００５６】
図１に示したように、簡単かつ例示的なシナリオを想定し、このシナリオでは、ＵＥは、ＬＴＥ  ｅＮＢおよびｇＮＢの両方に接続されており、例えばＵＥと各基地局との間のそれぞれ対応する無線リンクを介して、これら２基の基地局とデータパケットを交換する。言い換えれば、ＬＴＥ−ＮＲマルチコネクティビティのシナリオが例示的に想定されており、例えば前に説明したようにデュアルコネクティビティのコンセプトを再利用する。さらなる例示的な想定として、ＬＴＥ  ｅＮＢがＭｅＮＢであり、その一方で、ｇＮＢがＳｅＮＢの役割を担う。なお以下の説明では、図１の上述したシナリオを主として使用するが、本開示は別のマルチコネクティビティのシナリオ（ＮＲ−ＮＲマルチコネクティビティのシナリオ、またはＮＲ−ＬＴＥコネクティビティのシナリオ（ＬＴＥ  ｅＮＢがＳｅＮＢであり、ｇＮＢがＭｅＮＢの役割を担う）など）にも適用可能であることに留意されたい。
【００５７】
いずれの場合にも、データは、例えば図２に示したように、ＭＣＧベアラ、スプリットベアラ、およびＳＣＧベアラを使用して、両方の基地局（ＬＴＥ  ｅＮＢ、ｇＮＢ）からＵＥに送信されるものとさらに例示的に想定する。以下では、データは、別のＬＴＥ（−Ａ）セルラ通信システムからすでに公知である一般的なコンセプトに従って、データパケットとして（より具体的にはＰＤＣＰ  ＰＤＵとして）送信されるものと例示的に想定する。この送信は、例えば、図９に図解されて上にさらに詳しく説明されている送受信機、受信機、および／または送信機を使用することによって、行うことができる。ＰＤＣＰ層において分割されるベアラの場合、ＬＴＥ  ｅＮＢは、（ＰＤＣＰ層におけるＰＤＣＰ  ＰＤＵの形の）データを、ＬＴＥ  ｅＮＢまたはｇＮＢのいずれかにおける下のＲＬＣ層に送る。
【００５８】
本開示は、基地局（ＬＴＥ  ｅＮＢ、ｇＮＢ）とＵＥとの間のデータ提供を改良する目的で、手順と、関与するエンティティ（例：ＵＥ、ＬＴＥ  ｅＮＢ、ｇＮＢ）とを提供する。この目的のため、ＵＥは、どの少なくとも１つの無線リンクを介して２基の基地局からＵＥにＰＤＣＰ  ＰＤＵを転送するべきかを決定することができ、それに対応して、データパケットがどのように転送されるかを変更するように、責務を担う基地局（例えば図２のシナリオではＬＴＥ  ｅＮＢ）に指示する。ＵＥへのデータパケットの転送方法の責務を担う基地局は、デュアルコネクティビティにおいて使用されている用語に従って、例示的にマスター基地局と称することができる。
【００５９】
例えば、図２におけるスプリットベアラの場合に明らかであるように、このベアラのデータパケット（特にＰＤＣＰ層におけるＰＤＣＰ  ＰＤＵ）は、両方の無線リンクを介して（すなわちＵＥをＬＴＥ  ｅＮＢに接続している無線リンクを介してと、ＵＥをｇＮＢに接続している無線リンクを介して）ＵＥに転送される。スプリットベアラのデータパケットの転送は、ＬＴＥ  ｅＮＢが制御するものと例示的に想定し、さらに、ＬＴＥ  ｅＮＢはＳｅＮＢとしてのｇＮＢの使用を制御するものと想定することができる。これに対応して、ＬＴＥ  ｅＮＢは、このベアラのデータパケットを、例えばコアネットワーク（ＥＰＣまたはＮＧＣである）からＳ１インタフェースを介して受信する。次にこのベアラは、ＬＴＥ  ｅＮＢのＰＤＣＰ層において分割され、一方のベアラ区間（bearer leg）がｇＮＢを介して延び、他方のベアラ区間がＬＴＥ  ｅＮＢを介して延びる。
【００６０】
これに対応して、２つの無線リンクの一方のみ（ＬＴＥ  ｅＮＢとＵＥとの間のＬＴＥ無線リンク、またはｇＮＢとＵＥとの間のＮＲ無線リンクのいずれか）を介して、または両方の無線リンクを介して、データパケットを転送することができる。両方の無線リンクを使用する場合、データパケットの転送を、例えば特定の比率（例：その６０％をＬＴＥ無線リンクを介し、かつ、残り４０％をＮＲ無線リンクを介する、または任意の別の適切な比率）に従って、２つの無線リンクの間で分散させることができる。これに代えて、データパケットそれぞれ（またはいくつかの特定のデータパケットのみ）を両方の無線リンクを介して送信することができ、これによってデータパケットが重複し、したがってＵＥは、同じデータパケットを両方の経路を介して受信する。したがってＵＥは、これらの転送オプションのいずれかを決定して、ＬＴＥ  ｅＮＢに指示することができる。この指示は、必要な場合、転送が両方の無線リンクを通じて行われるときのデータパケットの分配比率または重複に関する情報を含むことができる。
【００６１】
次にＵＥは、決定した少なくとも１つの無線リンク（決定した転送オプション）に関する情報を含む、ＬＴＥ  ｅＮＢへの対応するメッセージ（以下では例示的に無線リンク選択メッセージと称する）を生成することができる。これに対応して、ＵＥは、この無線リンク選択メッセージを、例えば送受信機を使用してＬＴＥ  ｅＮＢに送信することができる。
【００６２】
無線リンク選択メッセージの送信方法に関する１つの例示的なオプションは、ＭＡＣ（媒体アクセス制御）層を使用することである。例えば、無線リンク選択メッセージの関連情報を伝えるために、専用のアップリンクＭＡＣ制御要素（ＭＡＣ  ＣＥ）を定義することができる。このような専用アップリンクＭＡＣ  ＣＥは１オクテットを有することができ、この場合、そのＭＡＣ  ＣＥを無線リンク選択メッセージとして識別するために５ビットのＬＣ−ＩＤフィールドを使用し、その一方で、後から詳しく説明するように、決定した転送オプションを示すために残りの３ビットを使用することができる。無線リンク選択メッセージを送信するためにＭＡＣ  ＣＥを使用することは、例えば、この点に関してＰＤＣＰ手順の使用時に伴う遅延と比較したとき、情報がすぐにＬＴＥ  ｅＮＢにおいて利用可能であるという利点を有しうる。別の可能な利点として、無線リンク選択メッセージを送信するために数ビットが必要であるのみである。
【００６３】
これに加えて、またはこれに代えて、別の理由ですでに送信されるＭＡＣ  ＣＥの中で、無線リンク選択メッセージの情報を送信することができ、したがって、ＬＴＥ  ｅＮＢによって使用されるべき転送オプションの情報をピギーバックすることができる。この方法は、無線リンク選択メッセージを伝える目的に専用のＭＡＣ  ＣＥを定義する必要がないという利点を有する。
【００６４】
無線リンク選択メッセージの送信方法に関するさらなるオプションは、ＰＤＣＰ制御ＰＤＵを使用することであり、ＰＤＣＰ制御ＰＤＵは、例示的に、１ビットのＤ／Ｃフィールド（例：０は、そのＰＤＵが制御ＰＤＵであることを示し、１は、そのＰＤＵがデータＰＤＵであることを示す）と、３ビットのＰＤＵタイプフィールド（例：ビット０１１〜１１１（現在の標準仕様において予約されると考えられる）のいずれかを使用して、そのＰＤＣＰ制御ＰＤＵを無線リンク選択メッセージとして識別する）を有するオクテットからなり、残りの４ビットを、（後から説明するように３ビットを使用する場合のように）決定された転送オプションを示すために使用することができる。
【００６５】
無線リンク選択メッセージの内容に関して、さまざまなオプションが存在する。無線リンク選択メッセージは、例えば、決定された（１つまたは複数の）無線リンクの適切な識別情報を含むことができ、両方の無線リンクを通じてデータパケットを転送するときには、適用される比率に関する情報、または（一部またはすべての）データパケットを重複させるための適切な指示を、追加的に含めることが可能である。無線リンクの識別情報は、例えば、ＬＴＥ  ｅＮＢによって割り当ててＵＥに提供することができる。これに代えて、無線リンクの識別情報を、あらかじめ基地局とＵＥとにすでに既知とすることができる（例えば、対応する標準仕様によって定義しておくことができる）。
【００６６】
別の例示的な実装形態においては、さまざまな転送オプションを、例えば３ビットを使用することによって符号化することができ、３ビットでは、最大で８つの異なる転送オプションを区別することができる（例えば、ＬＴＥ無線リンクのみ、ＮＲ無線リンクのみ、比率２０−８０でのＬＴＥ＋ＮＲ無線リンク、比率４０−６０でのＬＴＥ＋ＮＲ無線リンク、比率５０−５０でのＬＴＥ＋ＮＲ無線リンク、比率６０−４０でのＬＴＥ＋ＮＲ無線リンク、比率８０−２０でのＬＴＥ＋ＮＲ無線リンク、重複したデータパケットでのＬＴＥ＋ＮＲ無線リンク）。コードポイントを使用することにより、無線リンクのＩＤが送信される別の実装形態と比較して、より少ないビットを使用して、決定された転送オプションをＬＴＥ  ｅＮＢに効率的に指示することができる。なお、決定された転送オプションをＬＴＥ  ｅＮＢに知らせるために、より多くの、またはより少ないビットも予測され得ることに留意されたい。
【００６７】
図１０は、１つの解決策によるＵＥの挙動を示す、単純化された例示的な流れ図である。図から明らかであるように、この流れ図は、責務を担うマスター基地局（ＬＴＥ  ｅＮＢ）がデータパケットを転送するために介する少なくとも１つの無線リンクを、ＵＥが決定するステップを示している。次に、決定された少なくとも１つの無線リンクに関する対応する情報が、ＵＥによってマスター基地局（例：ＬＴＥ  ｅＮＢ）に送信され、したがってマスター基地局は、データ転送を変更することができるか、および／またはデータ転送をどのように変更することができるかを、受信した指示に基づいて適切に決定することができる。
【００６８】
すでに説明したように、ＬＴＥ  ｅＮＢは、ＵＥから無線リンク選択メッセージを受信すると、次に、現在使用されているデータ転送を変更することができるか、および／または、どのように変更することができるかを、決定することができる。１つの例示的な実装形態においては、無線リンク選択メッセージは、実際には、無線リンク選択メッセージの中でＵＥによって指示されたようにＬＴＥ  ｅＮｏｄｅＢがデータ転送を適合させるための直接的な命令とみなすことができ、したがってＬＴＥ  ｅＮｏｄｅＢが、受信した指示に従わないことは許可されない。これに代えて、ＬＴＥ  ｅＮｏｄｅＢは、データ転送を適合させるか、および／または、どのように適合させるかを決定するときに、指示された転送オプションに加えて、別の情報を考慮することもできる。例えばＬＴＥ  ｅＮＢは、一方または両方の無線リンクにおけるチャネル測定値を追加的に使用して決定を下すことができる。特に、本出願の後のセクションにおいて詳しく説明するように、フィードバック情報として測定報告およびＣＱＩ（チャネル品質情報）を基地局に提供するように、ＵＥを構成することができる。ＬＴＥ  ｅＮＢは、無線リンク選択メッセージを受信したとき、データ転送を適合させるか、および／または、どのように適合させるかを最終的に決定するために、これらのフィードバック情報の一部またはすべてを考慮することができる。
【００６９】
したがってこの解決策は、マスター基地局によって（ここではＬＴＥ  ｅＮＢであり、例えばスプリットベアラが分割されるＰＤＣＰ層において）実行されるデータ転送を、例えばＬＴＥ無線リンクおよび／またはＮＲ無線リンクのチャネル条件に応じて適合させるための柔軟かつ簡単なメカニズムを提供する。さらなるＰＤＣＰ  ＰＤＵを送信するときにデータ転送を適切に適合させることによって、例えば不良なチャネルを回避できるため、全体的なパケットロスの確率を減らすことができる。結果として、データ（特にＰＤＣＰ  ＰＤＵ）が正しい順序で受信される可能性が高まり、したがって正しい順序になるまでＰＤＣＰ  ＰＤＵをバッファに格納しなければならないことが回避される。無線リソースがより効率的に使用され、なぜなら上述した無線リンク選択メカニズムでは、データ転送を適合させることができ、したがって不良なチャネル条件におけるデータの送信を避けることができるためである。フィードバック（ＲＬＣ状態報告など）が正常に送信される可能性が高まり、結果としてｇＮＢが適切なフィードバックをＬＴＥ  ｅＮＢに送ることができる。
【００７０】
ＵＥが転送オプションを決定してそれをＬＴＥ  ｅＮｏｄｅＢに指示する正確なタイミングの問題に関しては、上の開示のさらなる変形形態が考えられる。一般的には、（異なる）転送オプションの決定は、必要なときに行うことができる。これに対応して、図１１（ＵＥの挙動の例示的かつ単純化された流れ図であり、前の図１０に基づいている）は、無線リンクの選択がトリガーされるか否かをＵＥが追加的にチェックすることを示している。
【００７１】
最良のデータ転送オプションが何であるかは、１つまたは２つの無線リンクのチャネル条件に依存し、したがって１つの変形形態によれば、ＵＥは、現在使用されている転送オプションよりも別の転送オプションが適切であるか否かを判定するために、チャネル条件を考慮に入れることができる。無線リンクのチャネル条件は、さまざまな方法で、１つまたは複数の適切なパラメータ（基準信号受信電力（ＲＳＲＰ）、基準信号受信品質（ＲＳＲＱ）、信号対雑音比（ＳＮＲ）、および場合によっては他のパラメータなど）を使用して、評価することができる。したがってＵＥは、転送オプションを変更するか否かを決めるために、一方または両方の無線リンクにおいて適切な測定（上記のチャネルパラメータの１つまたは複数を使用する）を実行することができる。例えばＵＥは、測定された無線リンクのパラメータを、それぞれ適切なしきい値と比較することができる。例えば、少なくとも１つの無線リンクのチャネル品質が特定の値（例：ＲＳＲＰ）を下回る場合、ＵＥは、続いて（別の）転送オプションを決定し、それに応じてデータ転送を変更するようにＬＴＥ  ｅＮｏｄｅＢに指示する。例えば、ＮＲ無線リンクのチャネル条件が（例えば測定されるＲＳＲＰもしくはＲＳＲＱ、またはＳＮＲの低下によって示されるように）著しく悪化したと想定すると、可能であればそのＮＲ無線リンクを通じてさらなるデータパケットを送信するべきではなく、ＬＴＥ  ｅＮＢはデータパケットをＬＴＥ無線リンク（より良好なチャネル条件を有するものと想定する）を介して転送するべきである。
【００７２】
これに加えて、またはこれに代えて、ＵＥは、測定された無線リンクのパラメータを、それぞれ前に測定された無線リンクのパラメータと比較することもでき、それによってチャネル条件の相当な変化が判定される場合、続いてＵＥは、（別の）転送オプションを決定し、それに応じてデータ転送を変更するようにＬＴＥ  ｅＮｏｄｅＢに指示することができる。
【００７３】
図１２（説明したＵＥの挙動の例示的かつ単純化された流れ図である）は、ＵＥが両方の条件をチェックし、続いて、２つの条件の一方が満たされている（すなわち「はい」）とみなされるときに適切な転送オプションを決定することを示している。
【００７４】
上の説明は、図２に示したようなスプリットベアラのシナリオに焦点をあてており、このシナリオでは、ベアラがＬＴＥ  ｅＮＢのＰＤＣＰ層において分割されており、したがって、スプリットベアラのデータ（ＰＤＣＰ  ＰＤＵ）をどのように転送するかを決定する責務は、ＬＴＥ  ｅＮＢが担う。しかしながら上の開示は、このようなスプリットベアラのシナリオに限定されず、スプリットベアラ以外のシナリオにおいても（すなわち図２に示したＭＣＧベアラおよびＳＣＧベアラなどの相異なる個別のベアラを使用してのデータ提供に関しても）、有利に使用することができる。ここでは、マスター基地局が、セカンダリ基地局の設定をある程度制御するものと例示的に想定する。これに対応して、マスター基地局は、ＵＥから無線リンク選択メッセージを受信したとき、問題のある状況が存在するものと推測することができ、それに基づいて、特定のベアラを再設定することができる。例えば、ＮＲ無線リンクが悪化しているものと想定すると、マスター基地局は、必要に応じてＳｅＮＢを追加／修正／除外することができる。このことは、例えば、ＳＣＧベアラがもはやセカンダリ基地局を介して延びず、代わりにマスター基地局を介して延びるように、ＳＣＧベアラが再設定されることを含む。
【００７５】
以下では、データ提供を改良するために、さらなる手順と、関与するエンティティ（例：ＵＥ、ＬＴＥ  ｅＮＢ、およびｇＮＢ）を提示する。以下の解決策においても、図１および図２に関連して前にすでに説明した同じ例示的なシナリオを想定することができる。簡潔に言えば、ＬＴＥ−ＮＲマルチコネクティビティのシナリオを主として想定し、このシナリオでは、ＵＥは、ＬＴＥ  ｅＮＢおよびｇＮＢの両方に接続されており、これら２基の基地局とデータパケットを交換する。例示的に、ＬＴＥ  ｅＮＢがマスター基地局（ＭｅＮＢ）であり、ｇＮＢがセカンダリ基地局（ＳｅＮＢ）である。図２から明らかであるように、２つの個別のベアラと、ＬＴＥ  ｅＮＢのＰＤＣＰ層において分割されているベアラとが、データを伝えるものと想定する。これに対応して、ＬＴＥ  ｅＮＢが、ＬＴＥ無線リンクおよび／またはＮＲ無線リンクを介しての、スプリットベアラに対応するデータ転送を制御する役割を担う。
【００７６】
この解決策においては、ＵＥは、スプリットベアラのデータ転送を変更するか、および／または、どのように変更するかを、（前の解決策におけるように）自身で決定する代わりに、マスター基地局（すなわちデータ転送を制御する役割を担う基地局であり、図２の例示的なシナリオにおいてはＬＴＥ  ｅＮＢ）が決定するのを支援することができる。ＬＴＥ  ｅＮＢを支援する目的で、ＵＥは、適切なチャネル情報をＬＴＥ  ｅＮＢに送信することができ、したがってＬＴＥ  ｅＮＢは、この情報を使用して、データパケット（ＰＤＣＰ  ＰＤＵ）をどのようにルーティングするかを決定することができる。この手順は図１３に示してあり、図１３は、この解決策によるＵＥの挙動の単純化された例示的な流れ図である。
【００７７】
両方の無線リンク（ＬＴＥ  ｅＮＢへのＬＴＥ無線リンクと、ｇＮＢへのＮＲ無線リンク）に関するチャネル情報を取得するため、ＵＥは、これらの無線リンクにおいて適切な測定を実行することができる。１つの変形形態においては、ＵＥは、前の解決策に関して前述した測定と同じかまたは類似する測定を実行することができ、すなわち無線リンクのチャネル条件を、１つまたは複数の適切なパラメータ（基準信号受信電力（ＲＳＲＰ）、基準信号受信品質（ＲＳＲＱ）、信号対雑音比（ＳＮＲ）、および場合によっては他のパラメータなど）を使用して評価することができる。
【００７８】
これに代えて、ＵＥは、チャネル条件を測定してＬＴＥ  ｅＮｏｄｅＢに報告するために、以前のＬＴＥ仕様からすでに公知である手順を再利用することができる。特に、パラメータＣＱＩ（チャネル品質インジケータ）（チャネル状態情報（ＣＳＩ）またはチャネル品質情報とも称する）は、ＵＥによって受信される信号の品質に関する情報を与える。ＬＴＥでは、ダウンリンク送信に使用する適切な変調・符号化方式の選択においてｅＮｏｄｅＢを支援するため、ＣＱＩを報告するようにＵＥを構成することができる。ＣＱＩ報告は、ダウンリンクの受信信号の品質から（一般にはダウンリンク基準信号の測定値に基づいて）導かれる。なお、報告されるＣＱＩは、ＳＩＮＲ（信号対干渉雑音比：Signal-to-Interference plus Noise Ratio）を直接示すものではないことに留意されたい。そうではなくＵＥは、ＣＱＩを使用して、１０％を超えないＢＬＥＲ（ブロック誤り率：Block Error Rate）確率で復号することのできる最も高い変調・符号化方式を報告する。したがってＣＱＩ情報は、無線チャネルの品質だけではなく、ＵＥの受信機の特性を考慮する。ＣＱＩを報告するためにＵＥが使用するべき周期および周波数解像度（frequency resolution）は、いずれもｅＮｏｄｅＢによって制御することができる。異なるＣＱＩインデックス値は、変調方式と符号化率の異なる組合せを示す。ＬＴＥによるＣＳＩ（ＣＱＩ）に関するさらなる詳細は、例えば３ＧＰＰ技術規格である非特許文献７（およびそれ以前のバージョン）の７．２．０節（その全体が参照により本明細書に組み込まれている）に記載されている。
【００７９】
これに加えて、またはこれに代えて、ＵＥは、いわゆる測定報告をマスター基地局に送信することができ、測定報告は、以下に説明するように、ＬＴＥシステムからすでに公知である。３ＧＰＰ技術規格である非特許文献８の５．５節（その全体が参照により本明細書に組み込まれている）に定義されているように、ＬＴＥでは、ＵＥは、Ｅ−ＵＴＲＡＮによって提供される測定設定（measurement configuration）に従って測定情報を報告し、次のタイプの測定、すなわち、Ｅ−ＵＴＲＡの周波数内測定、Ｅ−ＵＴＲＡの周波数間測定、ＲＡＴ間測定（ＵＴＲＡの周波数、ＧＥＲＡＮの周波数、ＣＤＭＡ２０００  １ｘＲＴＴまたはＨＲＰＤの周波数、またはＷＬＡＮの周波数）、のうちの少なくとも１つまたは複数を実行するようにＵＥに要求することができる。ＵＥにおいては、物理層が測定を実行し、測定データをＲＲＣ層に報告する。次に、報告をトリガーするべきであるか否かを判定するため、測定データを、測定設定によって設定される報告基準に関して評価することができる。報告がトリガーされると、ＵＥは測定設定に従って測定結果を報告する。測定設定は、簡潔に言えば、測定対象（一連の周波数または一連のセルなど）、報告の設定（例：報告の基準および報告のフォーマット）、測定の識別情報、品質の設定、および測定ギャップを定義する。上に挙げた報告のフォーマットは、基準信号受信電力（ＲＳＲＰ）や基準信号受信品質（ＲＳＲＱ）など、測定報告に含めることのできる数量に対応する。ＲＳＲＰは、一般には（Ｅ−ＵＴＲＡ）セルの信号強度に対応する。ＲＳＲＱは、受信信号強度インジケータ（ＲＳＳＩ）に対するＲＳＲＰの比率から求められる。ＲＳＳＩは、干渉を含む受信された広帯域電力であり、したがってＬＴＥにおける干渉を考慮するために、ＲＳＲＱが追加の測度として使用される。ＲＡＴ間測定の場合、数量は、受信信号コード電力（ＲＳＣＰ）（これはＲＳＲＰに相当する）、ＵＴＲＡのＥｃ／ｎｏ、およびＧＥＲＡＮのＲＳＳＩである。さらに詳細な情報については、上に挙げた非特許文献８の５．５節を参照されたい。
【００８０】
したがって両方の無線リンクに関するチャネル情報は、提示したように、ＵＥによってさまざまな方法で取得することができる。次に、集められた情報を、ＵＥによってＬＴＥ  ｅＮｏｄｅＢに送信することができる。図１４および図１５は、ＣＱＩ情報および測定報告をＵＥからＬＴＥ  ｅＮＢにどのように送信するかに関する２つの例示的なオプションを示している。一方のオプションでは、ＵＥは、ｇＮＢに関するチャネル情報（この図ではＣＱＩ  ｇＮＢ）もＬＴＥ  ｅＮＢに直接送信し、ｇＮＢに送信した後にｇＮＢによってＬＴＥ  ｅＮＢに転送されるのではない。ｇＮＢが通常動作においてＣＱＩ  ｇＮＢフィードバックを必要とする場合、オプションとしてＵＥは、この情報を通常どおりにｇＮＢに提供することができ、あるいは提供しなくもよい。
【００８１】
ＵＥは、２つの無線リンクに関する必要なチャネル情報を、ＲＲＣ層を使用してＬＴＥ  ｅＮＢに送信する。例えばＵＥは、ＲＲＣ仕様の非特許文献８の５．３．３節および５．３．５節に現在定義されているように、ＲＲＣ接続再設定（RRC Connection Reconfiguration）メッセージまたはＲＲＣ接続確立（RRC Connection Setup）メッセージを使用することができる。
【００８２】
２つの図から理解できるように、ＬＴＥ  ｅＮＢには、両方の無線リンクに関するチャネル情報が提供され、ＬＴＥ  ｅＮＢはこれらの情報を使用して適切な転送オプションを決定することができる。前にすでに説明したように、データパケットは、２つの無線リンクのうちの一方のみ（ＬＴＥ  ｅＮＢとＵＥの間のＬＴＥ無線リンク、またはｇＮＢとＵＥの間のＮＲ無線リンクのいずれか）を介して転送することができる、または両方の無線リンクを介して転送することができる。両方の無線リンクを使用する場合、転送されるデータパケットを、２つの無線リンクの間で、例えば特定の比率（例：６０％をＬＴＥ無線リンクを介し、かつ４０％をＮＲ無線リンクを介する、または任意の別の適切な比率）に従って分散させることができる。これに代えて、データパケットそれぞれ（またはいくつかの特定のデータパケットのみ）を両方の無線リンクを介して送信することができ、これによってデータパケットを重複させ、したがってＵＥは、両方の経路を介して同じデータパケットを受信する。したがってＬＴＥ  ｅＮＢは、ＵＥに転送されるように新たに到着するデータを扱うために、これらの転送オプションのいずれかを決定することができる。
【００８３】
この解決策は、無線リンクの選択をＵＥが制御する上述した解決策と同様に、（例えばスプリットベアラが分割されるＰＤＣＰ層において）ＬＴＥ  ｅＮＢによって実行されるデータ転送を、例えばＬＴＥ無線リンクおよび／またはＮＲ無線リンクのチャネル条件に応じて適合させるための柔軟かつ簡単なメカニズムを提供する。新たに到着するデータのデータ転送を適切に適合させることによって、全体的なパケットロスの確率を減らすことができ、なぜなら不良なチャネルを回避することができ、この結果として、ＰＤＣＰ  ＰＤＵの送信がよりロバストになり、無線リソースがより効率的に利用され、フィードバック情報（ＲＬＣ状態報告など）が正常に送信される可能性が高まるためである。
【００８４】
上の説明は、図２に示したようにスプリットベアラのシナリオに焦点をあてており、このシナリオでは、ベアラはＬＴＥ  ｅＮＢのＰＤＣＰ層で分割され、したがってＬＴＥ  ｅＮＢは、スプリットベアラのデータ（ＰＤＣＰ  ＰＤＵ）をどのように転送するかを決定する役割を担う。しかしながら上の開示は、このようなスプリットベアラのシナリオに限定されず、スプリットベアラ以外のシナリオにおいても（すなわち図２に示したＭＣＧベアラおよびＳＣＧベアラなどの相異なる個別のベアラを使用してのデータ提供に関しても）、有利に使用することができる。ここでは、マスター基地局が、セカンダリ基地局の設定をある程度制御するものと例示的に想定する。これに対応して、マスター基地局は、２つの無線リンクに関するチャネル情報をＵＥから受信したとき、問題のある状況が存在するものと推測することができ、それに基づいて、特定のベアラを再設定することができる。例えば、ＮＲ無線リンクが悪化しているものと想定すると、マスター基地局は、必要に応じてＳｅＮＢを追加／修正／除外することができる。このことは、例えば、ＳＣＧベアラがもはやセカンダリ基地局を介して延びず、マスター基地局を介して延びるように、ＳＣＧベアラが再設定されることを含む。
【００８５】
以下では、データ提供を改良するために、さらなる手順と、関与するエンティティ（例：ＵＥ、ＬＴＥ  ｅＮＢ、およびｇＮＢ）を提示する。この解決策は、単独の改善策として使用することができ、または、ＵＥあるいはＬＴＥ  ｅＮＢが適切な転送オプションを決定する、上に提示した開示（図１０〜図１７に関連する対応する説明を参照）と組み合わせて使用してもよい。例えば以下に説明するように、無線リンク選択メッセージをＡＣＫ状態報告メッセージと一緒に送信することができる。
【００８６】
以下の解決策においても、図１および図２に関連して前にすでに説明した同じ例示的なシナリオを想定することができる。簡潔に言えば、ＬＴＥ−ＮＲマルチコネクティビティのシナリオを主として想定し、このシナリオでは、ＵＥがＬＴＥ  ｅＮＢおよびｇＮＢの両方に接続されており、これら２基の基地局とデータパケットを交換する。例示的に、ＬＴＥ  ｅＮＢがマスター基地局（ＭｅＮＢ）であり、ｇＮＢがセカンダリ基地局（ＳｅＮＢ）である。図２から明らかであるように、２つの個別のベアラと、ＬＴＥ  ｅＮＢのＰＤＣＰ層において分割されているベアラとが、データを伝えるものと想定する。これに対応して、ＬＴＥ  ｅＮＢが、ＬＴＥ無線リンクおよび／またはＮＲ無線リンクを介しての、スプリットベアラに対応するデータ転送を制御する役割を担う。
【００８７】
この解決策では、ＵＥは、両方の無線リンクを介して（すなわちＬＴＥ  ｅＮＢおよびｇＮＢから）受信されるスプリットベアラのＰＤＣＰ  ＰＤＵの受信（ＡＣＫ）状態に関する追加のフィードバックを、マスター基地局（ＬＴＥ  ｅＮｏｄｅＢ）に提供する。この目的のため、ＵＥは、専用のタイマ（以下では例示的にＡＣＫ状態報告タイマと称する）を動作させ、この追加フィードバック手順のトリガーは、このタイマに基づいてＵＥによって制御される。より詳細には、ＡＣＫ状態報告タイマは、例えばＬＴＥセルラシステムにおけるＰＤＣＰの動作からすでに公知であるＴ−リオーダリングタイマに加えての、ＰＤＣＰ層の追加のタイマとみなすことができる。
【００８８】
簡潔に言えば、ＬＴＥでは、ＰＤＣＰのＴ−リオーダリングタイマは、受信機（ここでは例えばＵＥ）がシーケンス番号（ＳＮ：sequence number）の空白を有するときに起動され、したがってＰＤＣＰ  ＰＤＵの消失を検出するために使用することができる。Ｔ−リオーダリングタイマは、消失しているＰＤＵが受信されたときに停止され、次に受信ウィンドウが前に移動する。Ｔ−リオーダリングタイマが切れたが、消失しているＳＮ  ＰＤＣＰ  ＰＤＵが受信されなかった場合、上位層に最後に渡されたＰＤＵまで、または次の消失ＰＤＵまで、受信機ウィンドウが前に移動する。ＰＤＣＰ層、特にＴ−リオーダリングタイマの動作に関するさらなる詳細については、３ＧＰＰ技術規格である非特許文献４（参照により本明細書に組み込まれている）の例えば、７．２節のｂ）「t-Reordering（Ｔ−リオーダリング）」、５．１．２．１．４節「Procedures for DRBs mapped on RLC AM and for LWA bearers when the reordering function is used（リオーダリング機能が使用されるときのＲＬＣ  ＡＭにマッピングされるＤＲＢ（データベアラ）の手順およびＬＷＡベアラの手順）」に記載されている。
【００８９】
ＰＤＣＰ層に定義される新しいＡＣＫ状態報告タイマは、例えばＴ−リオーダリングタイマと同時に（すなわちＰＤＣＰ  ＰＤＵが正しくない順序で受信された場合のシーケンス番号の空白をＵＥが検出したときに）起動することができる。新しいＡＣＫ状態報告タイマのトリガーイベントは、例えば、Ｔ−リオーダリングタイマの開始とすることができる。これに加えて、またはこれに代えて、１つまたは複数のトリガーイベントを、ＬＴＥ  Ｔ−リオーダリングタイマ用にすでに定義されているトリガーイベントと同じにする、または類似したものとすることができる（例えば非特許文献４の５．１．２．１．４節の副節を参照）。
【００９０】
ＡＣＫ状態報告タイマをトリガーするための追加のトリガーイベントを定義することができる。例えば、チャネル条件が少なくとも特定の量だけ著しく変化するとき、ＡＣＫ状態報告のフィードバックがＬＴＥ  ｅＮｏｄｅＢにとって興味深いことがある。これに対応して、ＬＴＥ無線リンクおよび／またはＮＲ無線リンクにおけるチャネル条件が少なくとも特定の量だけ変化したことをＵＥが判定することを可能にする、ＵＥによって実行される測定に基づいて、ＡＣＫ状態報告をトリガーすることができる。
【００９１】
ＡＣＫ状態報告のトリガーを、ＵＥによって受信されていないＰＤＣＰ  ＰＤＵの数に依存させることもできる。これに対応して、特定の数のＰＤＣＰ  ＰＤＵが受信されていないことをＵＥが判定した後に、ＡＣＫ状態報告を送ることができる。これによって得ることのできる１つの利点として、ＡＣＫ状態報告がより少ない頻度で送信される一方で、最小限の数のＰＤＣＰ  ＰＤＵに対してフィードバック情報が効率的に提供される。
【００９２】
別の代替または追加のオプションは、ＡＣＫ状態報告のトリガーを、ＰＤＣＰ  ＰＤＵの関連性（relevancy）に依存させることである。例えば、ＵＥにおいてＰＤＣＰ  ＰＤＵのＱｏＳ情報が利用可能であり、このＱｏＳ情報からＰＤＣＰ  ＰＤＵの関連性を導くことができる。このオプションによれば、例えば、関連性が十分に高い（特定の値より大きい）ＰＤＣＰ  ＰＤＵのみにトリガーを制限するために、ＡＣＫ状態報告のトリガーにおいて、ＰＤＣＰ  ＰＤＵの関連性を考慮に入れる。これによって得ることのできる１つの利点として、ＡＣＫ状態報告がより少ない頻度で送信される一方で、十分に高い関連性のＰＤＣＰ  ＰＤＵに対してフィードバック情報が利用可能であるようにされる。
【００９３】
新しいＡＣＫ状態報告タイマのタイマ値は、Ｔ−リオーダリングタイマのタイマ値より小さく選択することができる。このことは有利であり、なぜならＵＥは、Ｔ−リオーダリングタイマが切れる前に消失パケットを回復することがあるためである。Ｔ−リオーダリングタイマが切れた時点で、より多くのＰＤＣＰ  ＰＤＵを上位層に渡すことができる。ＡＣＫ状態報告タイマおよびＴ−リオーダリングタイマの値は、例えば上位層によって設定することができる。例えば、Ｔ−リオーダリングタイマが４０ｍｓの値を有する場合、ＡＣＫ状態報告タイマは例えば２０ｍｓの値をとることができる。
【００９４】
ＡＣＫ状態報告タイマが切れた時点で、ＵＥは、どのＰＤＣＰ  ＰＤＵがすでに正常に受信されたかに関する情報を得ることによって、対応するＡＣＫ状態報告を生成する。したがってＡＣＫ状態報告の内容は、受信側（ＬＴＥ  ｅＮｏｄｅＢ）が、ＵＥにおいてすでに正常に受信されたＰＤＣＰ  ＰＤＵを導くことができるように、適切に生成するべきである。１つの例示的な変形形態によれば、ＡＣＫ状態報告は、ＵＥにおいて正常に受信されたＰＤＣＰ  ＰＤＵのシーケンス番号をリストすることができる。ＡＣＫ状態報告の適切な例示的なフォーマットは、図１８に示してあり、このフォーマットでは、１ビットのＤ／Ｃフィールドが、制御ＰＤＵとデータＰＤＵとを区別し、３ビットのＰＤＵタイプフィールドが、その報告をＡＣＫ状態報告として識別し、その一方で、ＵＥによって正常に受信されたＰＤＣＰ  ＰＤＵの各シーケンス番号用に１オクテットを使用することができる。正常に受信されたＰＤＣＰ  ＰＤＵを別の方法で報告してもよく、例えば、正しい順序で正常に受信された最初のＰＤＣＰ  ＰＤＵおよび最後のＰＤＣＰ  ＰＤＵと、これに加えて、正しくない順序で正常に受信されたさらなるＰＤＣＰ  ＰＤＵ（存在時）を示すことによる。
【００９５】
ＬＴＥ  ｅＮＢは、ＡＣＫ状態報告を受信すると、スプリットベアラのＰＤＣＰ  ＰＤＵのデータ転送を最適化する目的で、この情報を使用することができる。前の解決策においてすでに説明したように、いくつかの転送オプションが存在する。データパケットは、２つの無線リンクのうちの一方（ＬＴＥ  ｅＮＢとＵＥの間のＬＴＥ無線リンク、またはｇＮＢとＵＥの間のＮＲ無線リンクのいずれか）のみを介して転送する、または両方の無線リンクを介して転送することができる。両方の無線リンクを使用する場合、データパケットの転送を、例えば特定の比率（例：６０％をＬＴＥ無線リンクを介して、かつ４０％をＮＲ無線リンクを介して、または任意の別の適切な比率）に従って、２つの無線リンクの間で分散させることができる。これに代えて、データパケットそれぞれ（またはいくつかの特定のデータパケットのみ）を両方の無線リンクを介して送信することができ、これによってデータパケットが重複し、したがってＵＥは、同じデータパケットを両方の経路を介して受信する。
【００９６】
さらに、ＬＴＥ  ｅＮｏｄｅＢは、ＰＤＣＰの回復のために、ＡＣＫ状態報告から得られる情報を使用することができ、これは、ＵＥに正常に送信されなかったＰＤＣＰ  ＰＤＵを識別し、これらのＰＤＣＰ  ＰＤＵをどのように再びＵＥに送信するかを制御することによる。
【００９７】
したがってＬＴＥ  ｅＮｏｄｅＢは、新たに到着するＰＤＣＰ  ＰＤＵと、（ＡＣＫ状態報告から導かれる）まだＵＥに正常に送信されていないＰＤＣＰ  ＰＤＵを対象に、データ転送を制御することができる。
【００９８】
図１６には、ＵＥへのＰＤＣＰ  ＰＤＵ  １〜１０のダウンリンクのデータ提供を示した例示的なシナリオを提示してある。図から明らかであるように、ダウンリンクデータ提供は両方の無線リンクを介して均等に（比率５０−５０）分散されるものと例示的に想定し、したがって１０個のＰＤＣＰ  ＰＤＵのうちの５個ずつが、２つの無線リンクを介して送信される。図１６はさらに、ＮＲ無線リンクを介して送信されるＰＤＣＰ  ＰＤＵ  ４，６，８，１０が、例えばＮＲ無線リンクにおける強い干渉のために、正常に送信されないものと想定することを示している。したがって、シーケンス番号５の、正しくない順序の最初のＰＤＣＰ  ＰＤＵの受信（シーケンス番号の空白が生じる）によって、ＡＣＫ状態報告タイマをトリガーすることができ、このＡＣＫ状態報告タイマが切れた時点で（例えばシーケンス番号９のＰＤＣＰ  ＰＤＵが受信されている時点で）、図１６に示したように、対応するＡＣＫ状態報告がＵＥによってＬＴＥ  ｅＮｏｄｅＢに直接送信される。ＡＣＫ状態報告は、例えば、正常に受信されたＰＤＣＰ  ＰＤＵ  １，２，３，５，７，９を示すことができる。
【００９９】
ＬＴＥ  ｅＮｏｄｅＢは、ＮＲ無線リンクを使用するときのＰＤＣＰ  ＰＤＵのさらなる消失を回避するため、ＡＣＫ状態報告によって提供される情報を使用して、ＵＥによってまだ正常に受信されていないＰＤＣＰ  ＰＤＵ（４，６，８，１０）と、新たに到着するさらなるＰＤＣＰ  ＰＤＵ（この例では例えばシーケンス番号１１のＰＤＣＰ  ＰＤＵのみ）とが、ＬＴＥ無線リンクのみを介して送信されるように、データ提供を変更することができる。このことは図１７に示してある。
【０１００】
前述したように（かつ図１６および図１７に示したように）、ＵＥは、基本的にＡＣＫ状態報告タイマと同時に起動されるＴ−リオーダリングタイマを動作させることもできる。Ｔ−リオーダリングタイマが切れた時点で、ＵＥは、空白を含む正常に受信されたＰＤＣＰ  ＰＤＵ（および消失したシーケンス番号）を上位層に渡すことができる。
【０１０１】
図１９は、上に提示した解決策によるＵＥの挙動の単純化された例示的な流れ図である。したがってＵＥは、ＰＤＣＰ  ＰＤＵが消失しているかを判定し、消失している場合、ＡＣＫ状態報告タイマ（およびオプションとしてさらにＴ−リオーダリングタイマ）を起動する。このＡＣＫ状態報告タイマが切れた時点で、ＵＥは、上に説明したようにＡＣＫ状態報告を生成してＬＴＥ  ｅＮｏｄｅＢに送信することができる。
【０１０２】
以下では、特定のシナリオを想定する。特に、ＮＲ無線リンクをＴＤＤ（時分割複信）に従って動作させることができる。ＬＴＥ  ＴＤＤでは、アップリンクおよびダウンリンクに同じ周波数帯域を使用する。
【０１０３】
ＭＡＣ  ＰＨＲは、ＬＴＥセルラシステムから一般的にすでに公知であり（例えば非特許文献９の５．４．６節（参照により本明細書に組み込まれている）を参照）、ＵＥがより高い送信電力で送信できるか否かを知らせるために使用される。簡潔に言えば、ＭＡＣ  ＰＨＲは、ＵＥにおいて余裕のある相対的な送信電力を示す。したがって、ＬＴＥにおける電力ヘッドルーム（Power Headroom）の単純な式は以下である。
電力ヘッドルーム＝ＵＥの最大送信電力−ＰＵＳＣＨ電力＝Ｐｍａｘ−Ｐ＿ｐｕｓｃｈ
【０１０４】
したがって、電力ヘッドルームが正の値である場合、そのことは、ＵＥが依然としてより高い送信電力で送信することができる、または、ＵＥがより高いスループットで送信することができる、ことを意味する。この値が負である場合、ＵＥはすでに最大送信電力で送信している。正の電力ヘッドルームの場合、ネットワークによって、そのＵＥにより多くのリソースブロックを割り当てることができるが、負の電力ヘッドルームの場合には、ＵＥはすでに最大リソースブロックを使用しており、それ以上割り当てる必要はないものと想定される。報告される電力ヘッドルームは、１サブフレーム全体にわたり推定される。電力ヘッドルームは、ＰＵＳＣＨが送信されるサブフレームにおいてのみ推定される。
【０１０５】
ＭＡＣ  ＰＨＲは、例えば、１）ダウンリンクの経路損失のしきい値に達したとき（ｄｌ−ＰａｔｈｌｏｓｓＣｈａｎｇｅ）、２）ｐｅｒｉｏｄｉｃＰＨＲ−Ｔｉｍｅｒ（電力ヘッドルーム報告の周期タイマ）が設定されている（したがってＵＥが電力ヘッドルーム報告（Power Headroom Report）を周期的にネットワークに送る）ときに、送ることができる。ＬＴＥ仕様に定義されている例示的に提示したＭＡＣ  ＰＨＲ（電力ヘッドルーム報告）制御要素は、ダウンリンクのＮＲ無線リンクの問題をＬＴＥ  ｅＮＢに暗黙的に示すために使用することができる。
【０１０６】
ｅＮＢは、ＵＥによって計算されたＰＨＲ値に基づいて、より少ないデータ、または、より多くのデータをＵＥに転送することができる。
【０１０７】
［さらなる態様］
第１の態様によれば、移動通信システムにおけるユーザ機器、を提供する。本ＵＥは、動作時に、第１の基地局がデータパケットをユーザ機器に転送するために介する少なくとも１つの無線リンク、を決定する処理回路、を備えている。本ユーザ機器は、第１の無線リンクを介しての第１の基地局と、第２の無線リンクを介しての第２の基地局の両方に、接続可能である。本ＵＥは、送信機であって、動作時に、無線リンク選択メッセージを第１の基地局に送信する、送信機、をさらに備えている。無線リンク選択メッセージは、どの少なくとも１つの無線リンクを介してデータパケットをユーザ機器に転送するかを第１の基地局に指示するための、決定された少なくとも１つの無線リンクに関する情報、を含む。第１の態様に加えて提供される第２の態様によれば、第１の無線リンクおよび第２の無線リンクは、異なる無線技術に基づいている。１つのオプションによれば、第１の無線リンクが、３ＧＰＰ（第３世代パートナーシッププロジェクト）のロングタームエボリューション（ＬＴＥ）技術、または、３ＧＰＰの第５世代（５Ｇ）の新しい無線技術、に基づいている。さらに、オプションとして、第２の無線リンクは、３ＧＰＰの第５世代（５Ｇ）の新しい無線技術、に基づいている。
【０１０８】
第１の態様または第２の態様の１つに加えて提供される第３の態様によれば、処理回路は、動作時に、第１の無線リンクおよび／または第２の無線リンクのパラメータを測定し、測定されたパラメータをしきい値と比較する。さらに、処理回路は、動作時に、比較の結果に基づいて、無線リンク選択メッセージを送信することを決定する。これに加えて、またはこれに代えて、処理回路は、動作時に、第１の無線リンクおよび／または第２の無線リンクのパラメータを測定し、測定されたパラメータを、以前に測定されたパラメータと比較する。処理回路は、動作時に、比較の結果に基づいて、無線リンク選択メッセージを送信することを決定する。オプションとして、第１の無線リンクのパラメータおよび第２の無線リンクのパラメータは、以下のパラメータ、すなわち、
・  基準信号受信電力（ＲＳＲＰ）
・  基準信号受信品質（ＲＳＲＱ）
・  信号対雑音比（ＳＮＲ）
の少なくとも１つを含む。
【０１０９】
第１の態様から第３の態様の１つの態様に加えての第４の態様によれば、送信機は、動作時に、媒体アクセス制御（ＭＡＣ）制御要素の中で無線リンク選択メッセージを送信する。
【０１１０】
第１の態様から第４の態様の１つの態様に加えての第５の態様によれば、処理回路は、動作時に、第１の基地局が、データパケットを、
・  第１の無線リンクのみを介して、または、
・  第２の無線リンクのみを介して、または、
・  第１の無線リンクおよび第２の無線リンクの両方を介して、
転送するべきことを決定する。
【０１１１】
処理回路が、第１の基地局が第１の無線リンクおよび第２の無線リンクの両方を介してデータパケットを転送するべきことを決定した場合に、
処理回路が、動作時に、第１の無線リンクを介して転送されるデータパケットと、第２の無線リンクを介して転送されるデータパケットとの間の比率、をさらに決定し、この比率が無線リンク選択メッセージに含められる、または、
処理回路が、動作時に、データパケットが第１の無線リンクおよび第２の無線リンクを介して重複して転送されるべきことをさらに決定し、無線リンク選択メッセージが、この重複に関する情報を含む。
【０１１２】
第１の態様から第５の態様の１つの態様に加えての第６の態様によれば、第１の無線リンクに割り当てられる、第１の無線リンクの識別情報が、第２の無線リンクに割り当てられる、第２の無線リンクの識別情報とは異なる。無線リンク選択メッセージに含まれている、少なくとも１つの無線リンクに関する情報は、第１の無線リンクの識別情報、および／または、第２の無線リンクの識別情報、を含む。オプションとして、ユーザ機器の受信機は、動作時に、第１の無線リンクの識別情報、および／または、第２の無線リンクの識別情報、を第１の基地局から受信する。
【０１１３】
第１の態様から第６の態様の１つの態様に加えての第７の態様によれば、本ユーザ機器は、第１の基地局と第２の基地局の間で分割されるスプリットベアラを使用して、第１の基地局および第２の基地局に接続可能である。オプションとして、ユーザ機器のパケットデータコンバージェンスプロトコル（ＰＤＣＰ）層が、スプリットベアラの場合に共有され、データパケットが、ＰＤＣＰプロトコルデータユニット（ＰＤＣＰ  ＰＤＵ）である。これに代えて、ユーザ機器は、第１の基地局および第２の基地局に、２つのベアラを介して個別に接続可能である。
【０１１４】
第１の態様から第７の態様の１つの態様に加えての第８の態様によれば、処理回路は、動作時に、第１の基地局および第２の基地局から受信される一連のデータパケットの受信報告の送信を制御するために、報告タイマを動作させる。報告タイマは、一連のデータパケットにおけるデータパケットが消失したものと最初に検出されたときに起動される。処理回路は、動作時に、報告タイマが切れた時点で、第１の基地局に受信報告を送信することを決定して受信報告を生成する。生成される受信報告は、第１の基地局および第２の基地局から正常に受信されたデータパケットを示す。送信機は、動作時に、生成された受信報告を第１の基地局に送信する。
【０１１５】
第８の態様に加えての第９の態様によれば、処理回路は、動作時に、第１の無線リンクおよび／または第２の無線リンクの測定されたパラメータが、それぞれの以前に測定されたパラメータと比較して、少なくとも特定の量だけ変化したときに、受信報告を送信することをさらに決定する。処理回路は、動作時に、受信報告を介して報告されるデータパケットが低い関連性であるとき、または、正常に受信されていないデータパケットの数が特定の数より小さいとき、受信報告を送信しないことを決定する。
【０１１６】
第８の態様または第９の態様に加えての第１０の態様によれば、送信機は、動作時に、受信報告を、無線リンク選択メッセージと一緒に第１の基地局に送信する。
【０１１７】
第１１の態様によれば、移動通信システムにおいてユーザ機器を動作させる方法を提供する。本方法は、ユーザ機器によって実行される以下のステップを含む。第１の基地局がデータパケットをユーザ機器に転送するために介する少なくとも１つの無線リンクを決定する。ユーザ機器は、第１の無線リンクを介しての第１の基地局と、第２の無線リンクを介しての第２の基地局の両方に、接続可能である。無線リンク選択メッセージを第１の基地局に送信する。無線リンク選択メッセージは、どの少なくとも１つの無線リンクを介してデータパケットをユーザ機器に転送するかを第１の基地局に指示するための、決定された少なくとも１つの無線リンクに関する情報、を含む。
【０１１８】
第１１の態様に加えての第１２の態様によれば、本方法は、ユーザ機器によって実行される以下のステップをさらに含む。第１の基地局および第２の基地局から受信される一連のデータパケットの受信報告の送信を制御するために、報告タイマを動作させる。この報告タイマは、一連のデータパケットにおけるデータパケットが消失したものと最初に検出されたときに起動される。ＵＥは、報告タイマが切れた時点で、第１の基地局に受信報告を送信することを決定し、受信報告を生成する。受信報告は、第１の基地局および第２の基地局から正常に受信されたデータパケットを示す。次に、生成された受信報告を第１の基地局に送信する。
【０１１９】
第１３の態様によれば、移動通信システムにおける第１の基地局を提供する。第１の基地局の受信機は、動作時に、ユーザ機器から無線リンク選択メッセージを受信する。ユーザ機器は、第１の無線リンクを介しての第１の基地局と、第２の無線リンクを介しての第２の基地局の両方に、接続可能である。無線リンク選択メッセージは、第１の基地局がデータパケットをユーザ機器に転送するために介する少なくとも１つの無線リンクに関する情報、を含む。第１の基地局の処理回路は、動作時に、データパケットをユーザ機器に転送するために介する少なくとも１つの無線リンクを、受信された無線リンク選択メッセージに基づいて決定する。第１の基地局の送信機は、動作時に、決定された少なくとも１つの無線リンクを介してデータパケットをユーザ機器に転送する。
【０１２０】
第１３の態様に加えての第１４の態様によれば、受信機は、動作時に、第１の基地局および第２の基地局からユーザ機器によって正常に受信されたデータパケットを示す受信報告を、ユーザ機器から受信する。処理回路は、動作時に、データパケットを転送するために介する少なくとも１つの無線リンクの決定を、受信された受信報告に基づいて行う。オプションとして、処理回路は、動作時に、ユーザ機器によって正常に受信されていないデータパケットを送信するか、およびどの無線リンクを介して送信するかを、受信された受信報告に基づいて決定する。
【０１２１】
第１５の態様によれば、移動通信システムにおけるユーザ機器を提供する。ユーザ機器の処理回路は、動作時に、第１の無線リンクに関する無線リンク情報および第２の無線リンクに関する無線リンク情報を生成する。ユーザ機器は、データパケットを交換するために、第１の無線リンクを介しての第１の基地局と、第２の無線リンクを介しての第２の基地局の両方に、接続可能である。ユーザ機器の送信機は、動作時に、データパケットをユーザ機器に転送するために介する少なくとも１つの無線リンクを決定するために第１の基地局によって使用されるように、生成された無線リンク情報を第１の基地局に送信する。
【０１２２】
第１５の態様に加えての第１６の態様によれば、第１の無線リンクおよび第２の無線リンクは、異なる無線技術に基づいており、オプションとして、第１の無線リンクが、３ＧＰＰ（第３世代パートナーシッププロジェクト）のロングタームエボリューション（ＬＴＥ）技術、または、３ＧＰＰの第５世代（５Ｇ）の新しい無線技術、に基づいており、かつオプションとして、第２の無線リンクが、３ＧＰＰの第５世代（５Ｇ）の新しい無線技術、に基づいている。
【０１２３】
第１５の態様または第１６の態様に加えての第１７の態様によれば、無線リンク情報は、少なくとも１つの無線リソース制御（ＲＲＣ）メッセージの中で送信される。
【０１２４】
第１５の態様から第１７の態様の１つの態様に加えての第１８の態様によれば、無線リンク情報は、以下、すなわち、
・  チャネル品質情報（ＣＱＩ）、
・  基準信号受信電力（ＲＳＲＰ）、基準信号受信品質（ＲＳＲＱ）、または信号対雑音比（ＳＮＲ）などのチャネル条件パラメータを含む測定報告、
の少なくとも１つを含む。
【０１２５】
第１９の態様によれば、移動通信システムにおいてユーザ機器を動作させる方法、を提供する。本方法は以下のステップを含む。第１の無線リンクに関する無線リンク情報および第２の無線リンクに関する無線リンク情報を生成する。ユーザ機器は、データパケットを交換するために、第１の無線リンクを介しての第１の基地局と、第２の無線リンクを介しての第２の基地局の両方に、接続可能である。生成された無線リンク情報は、データパケットをユーザ機器に転送するために介する少なくとも１つの無線リンクを決定するために第１の基地局によって使用されるように、第１の基地局に送信される。
【０１２６】
第２０の態様によれば、移動通信システムにおける第１の基地局を提供する。第１の基地局の受信機は、動作時に、第１の無線リンクに関する無線リンク情報および第２の無線リンクに関する無線リンク情報をユーザ機器から受信する。ユーザ機器は、データパケットを交換するために、第１の無線リンクを介しての第１の基地局と、第２の無線リンクを介しての第２の基地局の両方に、接続可能である。第１の基地局の処理回路は、動作時に、データパケットをユーザ機器に転送するために介する少なくとも１つの無線リンク、を決定する。第１の基地局の送信機は、動作時に、データパケットを、決定された少なくとも１つの無線リンクを介してユーザ機器に転送する。
【０１２７】
第２０の態様に加えての第２１の態様によれば、処理回路は、動作時に、第１の基地局が、
・  第１の無線リンクのみを介して、または、
・  第２の無線リンクのみを介して、または、
・  第１の無線リンクおよび第２の無線リンクの両方を介して、
データパケットを転送するべきことを決定する。
【０１２８】
処理回路が、第１の基地局が第１の無線リンクおよび第２の無線リンクの両方を介してデータパケットを転送するべきことを決定した場合に、
処理回路が、動作時に、第１の無線リンクを介して転送されるデータパケットと、第２の無線リンクを介して転送されるデータパケットとの間の比率、をさらに決定する、または、
処理回路が、動作時に、データパケットが第１の無線リンクおよび第２の無線リンクを介して重複して転送されるべきことをさらに決定する。
【０１２９】
［ハードウェアおよびソフトウェアによる本開示の実施］
本開示は、ソフトウェアによって、ハードウェアによって、またはハードウェアと協働するソフトウェアによって、実施することができる。上に記載した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩはチップとして個別に形成することができ、または、機能ブロックの一部またはすべてが含まれるように１個のチップを形成することができる。ＬＳＩは、自身に結合されたデータ入出力部を含むことができる。ＬＳＩは、本明細書においては、集積度の違いに応じて、ＩＣ（集積回路）、システムＬＳＩ、スーパーＬＳＩ、またはウルトラＬＳＩと称される。しかしながら、集積回路を実施する技術は、ＬＳＩに限定されず、専用回路、汎用プロセッサ、または専用プロセッサを使用することによって実現されていてもよい。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブルプロセッサを使用してもよい。本開示は、デジタル処理またはアナログ処理として実施することができる。半導体技術または別の派生技術が進歩する結果として将来の集積回路技術がＬＳＩに置き換わる場合、その将来の集積回路技術を使用して機能ブロックを集積化することができる。バイオテクノロジを適用することもできる。
【０１３０】
さらに、様々な実施形態は、ソフトウェアモジュールによっても実施され得る。これらのソフトウェアモジュールは、プロセッサによって実行される、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。さらには、複数の異なる実施形態の個々の特徴は、個々に、または任意の組合せにおいて、別の実施形態の主題とすることができることに留意されたい。
【０１３１】
具体的な実施形態に示した本開示には、広義に記載されている本発明の概念または範囲から逸脱することなく、様々な変更および／または修正を行うことができることが、当業者には理解されるであろう。したがって、本明細書に示した実施形態は、あらゆる点において例示的であり、本発明を制限するものではないものとみなされる。
【図１】
2020504510.tif 000003
【図２】
2020504510.tif 000004
【図３】
2020504510.tif 000005
【図４】
2020504510.tif 000006
【図５】
2020504510.tif 000007
【図６】
2020504510.tif 000008
【図７】
2020504510.tif 000009
【図８】
2020504510.tif 000010
【図９】
2020504510.tif 000011
【図１０】
2020504510.tif 000012
【図１１】
2020504510.tif 000013
【図１２】
2020504510.tif 000014
【図１３】
2020504510.tif 000015
【図１４】
2020504510.tif 000016
【図１５】
2020504510.tif 000017
【図１６】
2020504510.tif 000018
【図１７】
2020504510.tif 000019
【図１８】
2020504510.tif 000020
【図１９】
2020504510.tif 000021
【国際調査報告】
2020504510.tif 000022
2020504510.tif 000023
2020504510.tif 000024